(57)【特許請求の範囲】
【請求項１】
無線通信システムのネットワークノード（８００）によりサービスされるワイヤレスデバイス（８５０）において実行される方法であって、前記ワイヤレスデバイス（８５０）は、キャリアアグリゲーション可能であって前記ネットワークノード（８００）によりプライマリセル（ＰＣｅｌｌ）及び第１のセカンダリセル（ＳＣｅｌｌ）と共に構成され、前記第１のＳＣｅｌｌは、競合ベースの送信のためのキャリア上で動作しており、前記方法は、
前記第１のＳＣｅｌｌをアクティブ化するためのアクティブ化コマンドを受信すること（９１０）と、
前記アクティブ化コマンドに応じて、前記第１のＳＣｅｌｌのアクティブ化を、前記アクティブ化の期間中に前記ワイヤレスデバイス（８５０）において前記第１のＳＣｅｌｌのディスカバリリファレンス信号機会が利用可能でない回数と共に増加する可変的な時間ピリオド内に実行することと、
を含み、
前記第１のＳＣｅｌｌの前記ディスカバリリファレンス信号機会は、前記ディスカバリリファレンス信号機会において受信される信号の品質及び強度のうちの少なくとも１つがそれぞれの閾値レベルを下回る場合に利用可能でない、
方法。
【請求項２】
前記第１のＳＣｅｌｌについての有効なチャネル状態情報（ＣＳＩ）レポートを送信すること（９３０）、
をさらに含み、前記有効なＣＳＩレポートの前記送信により、前記第１のＳＣｅｌｌの前記アクティブ化が確認される、請求項１に記載の方法。
【請求項３】
無線通信システムのネットワークノード（８００）によってサービスされる、ように構成されるワイヤレスデバイス（８５０）であって、前記ワイヤレスデバイス（８５０）は、キャリアアグリゲーション可能であり並びにプライマリセル（ＰＣｅｌｌ）及び第１のセカンダリセル（ＳＣｅｌｌ）と共に構成され、前記第１のＳＣｅｌｌは、競合ベースの送信のためのキャリア上で動作しており、前記ワイヤレスデバイス（８５０）は、
前記第１のＳＣｅｌｌをアクティブ化するためのアクティブ化コマンドを受信し、
前記アクティブ化コマンドに応じて、前記第１のＳＣｅｌｌのアクティブ化を、前記アクティブ化の期間中に前記ワイヤレスデバイス（８５０）において前記第１のＳＣｅｌｌのディスカバリリファレンス信号機会が利用可能でない回数と共に増加する可変的な時間ピリオド内に実行する、
ようにさらに構成され、
前記第１のＳＣｅｌｌの前記ディスカバリリファレンス信号機会は、前記ディスカバリリファレンス信号機会において受信される信号の品質及び強度のうちの少なくとも１つがそれぞれの閾値レベルを下回る場合に利用可能でない、
ワイヤレスデバイス（８５０）。
【請求項４】
前記第１のＳＣｅｌｌについての有効なチャネル状態情報（ＣＳＩ）レポートを送信する、ようにさらに構成され、
前記有効なＣＳＩレポートの前記送信により、前記第１のＳＣｅｌｌの前記アクティブ化が確認される、
請求項３に記載のワイヤレスデバイス（８５０）。
【請求項５】
前記有効なＣＳＩレポートは、非ゼロのＣＱＩインデックスと共に予め定義されるチャネル品質インジケータ（ＣＱＩ）値を含むＣＳＩレポートである、請求項４に記載のワイヤレスデバイス（８５０）。
【請求項６】
前記無線通信システムは、ＬＴＥ（Long  Term  Evolution）システムであり、前記ワイヤレスデバイス（８５０）は、前記第１のＳＣｅｌｌ上のライセンス支援型アクセス（ＬＡＡ）動作のために構成される、請求項３に記載のワイヤレスデバイス（８５０）。
【請求項７】
前記アクティブ化コマンドは、前記第１のＳＣｅｌｌがアクティブ化されるべきであることを示す、ＳＣｅｌｌアクティブ化／非アクティブ化メディアアクセス制御（ＭＡＣ）制御エレメントである、請求項６に記載のワイヤレスデバイス（８５０）。
【請求項８】
競合フリーの送信のためのキャリア上で動作している第２のＳＣｅｌｌと共にさらに構成され、
前記第２のＳＣｅｌｌをアクティブ化するためのアクティブ化コマンドを受信し、前記第２のＳＣｅｌｌをアクティブ化するための前記アクティブ化コマンドに応じて、
前記第２のＳＣｅｌｌのアクティブ化を、固定的な時間ピリオド内に実行し、
前記第２のＳＣｅｌｌについての有効なチャネル状態情報（ＣＳＩ）レポートを送信する、
ように構成され、
前記有効なＣＳＩレポートの前記送信により、前記第２のＳＣｅｌｌの前記アクティブ化が確認される、請求項３乃至７のいずれかに記載のワイヤレスデバイス（８５０）。
【請求項９】
前記固定的な時間ピリオドは、予め定義される、請求項８に記載のワイヤレスデバイス（８５０）。
【請求項１０】
ワイヤレスデバイス（８５０）上での実行時に、請求項１〜２のいずれかに記載された方法を前記ワイヤレスデバイス（８５０）に実行させるコンピュータ読取可能なコード、を含むコンピュータプログラム。
【請求項１１】
請求項１０に記載のコンピュータプログラムを記憶したコンピュータ読取可能な媒体。
【発明の詳細な説明】
【技術分野】
【０００１】
本開示は、キャリアアグリゲーション可能であってネットワークノードによりプライマリセル（ＰＣｅｌｌ）及びセカンダリセル（ＳＣｅｌｌ）と共に構成されるワイヤレスデバイスに、対応するネットワークノードに、並びにそれらにおいて実行される方法に関する。
【背景技術】
【０００２】
３ＧＰＰ  ＬＴＥ（Long  Term  Evolution）は、ＵＭＴＳ（Universal  Mobile  Telecommunication  System）標準を改善して、より高いデータレート、改善された効率性及び引き下げられたコストといった、改善されたサービスの観点の将来の要件に対処するために、３ＧＰＰ（3rd  Generation  Partnership  Project）内で開発された第４世代モバイル通信技術標準である。
【０００３】
さらに、併せてＨＳＰＡ（High  Speed  Packet  Access）として言及されるＨＳＤＰＡ（High  Speed  Downlink  Packet  Access）及びＨＳＵＰＡ（High  Speed  Uplink  Packet  Access）は、ＵＭＴＳ向けのＷＣＤＭＡ（Wideband  Code  Division  Multiple  Access）プロトコルにより可能であったもとのデータレートよりも高いデータレートに対処するために開発された、モバイル通信プロトコルである。
【０００４】
ＵＴＲＡＮ（Universal  Terrestrial  Radio  Access  Network）は、ＵＭＴＳの無線アクセスネットワークであり、進化型ＵＴＲＡＮ（Ｅ−ＵＴＲＡＮ）は、ＬＴＥシステムの無線アクセスネットワークである。ＵＴＲＡＮ及びＥ−ＵＴＲＡＮにおいて、ユーザ機器（ＵＥ）は、通常、ＵＭＴＳにおいてＮｏｄｅＢ（ＮＢ）と呼ばれ、ＬＴＥにおいて進化型ＮｏｄｅＢ（ｅＮｏｄｅＢ又はｅＮＢ）と呼ばれる無線基地局（ＲＢＳ）へワイヤレス接続される。ＲＢＳは、無線信号をＵＥへ送信すること及びＵＥによって送信された信号を受信することが可能な無線ネットワークノードについての総称である。ＵＭＴＳでは、無線ネットワークコントローラ（ＲＮＣ）は、ＮｏｄｅＢを制御し、とりわけ、ＲＮＣが担当するセルにおける無線リソースの管理を担当する。ＲＮＣ及びその対応するＮｏｄｅＢは、無線ネットワークサブシステム（ＲＮＳ）と呼ばれる。ＲＮＣは、同様に、コアネットワーク（ＣＮ）にも接続される。ＬＴＥにおいて、ｅＮｏｄｅＢは、セル内の無線リソースを管理し、ＣＮへ直接的に接続され、同様に、Ｘ２インタフェースを介して隣接するｅＮｏｄｅＢへ接続される。
【０００５】
図１は、ＬＴＥシステムにおける無線アクセスネットワークの例としての配備を示す。ｅＮＢ１０１ａは、サービス又はサービングセル１０５ａのＲＢＳの地理的エリア内に位置するＵＥ１０３にサービスする。ｅＮＢ１０１ａは、この例では、別のセル１０５ｂにサービスする隣接したｅＮＢ１０１ｂへ、Ｘ２インタフェースを介して接続される。
【０００６】
［マルチキャリア又はキャリアアグリゲーションのコンセプト］
ＬＴＥリリース１０の仕様は、標準化されており、最大２０ＭＨｚのコンポーネントキャリア（ＣＣ）帯域幅をサポートし、これは、最大限のＬＴＥリリース８のキャリア帯域幅である。２０ＭＨｚより広いＬＴＥリリース１０の動作が可能であり、いくつかのＬＴＥ  ＣＣとしてＬＴＥリリース１０の端末に現れる。２０ＭＨｚよりも広い帯域幅を得るための直接的なやり方は、キャリアアグリゲーション（ＣＡ）によるものである。ＣＡは、ＬＴＥリリース１０の端末が複数のＣＣを受信し得ることを示唆しており、その場合において、ＣＣは、リリース８のキャリアと同一の構造を有する可能性を有し、又は少なくとも有する。ＣＡは、図２において示され、図２では、５つの２０ＭＨｚのＣＣがアグリゲートされて合計１００ＭＨｚとなる。ＣＡ動作においては、よって、ＵＥは、１つより多くのセルからデータを受信し、及び／又は１つより多くのセルへデータを送信することができる。言い換えると、ＣＡ対応ＵＥは、１つより多くのサービングセルと共に動作する、ように構成され得る。各サービングセルのキャリアは、概して、ＣＣと呼ばれる。よって、ＣＣは、マルチキャリアシステムにおける個々のキャリアである。ＣＡシステムは、代替的には、マルチキャリアシステム、マルチセル動作システム、マルチキャリア動作システム、又はマルチキャリア送信及び／若しくは受信システムと呼ばれてもよい。ＣＡは、アップリンク及びダウンリンク方向におけるシグナリング及びデータの送信に使用される。ＣＣのうちの１つは、プライマリコンポーネントキャリア（ＰＣＣ）として指定される。ＰＣＣは、また、プライマリキャリア、アンカーキャリア、プライマリセル（ＰＣｅｌｌ）、又はプライマリサービングセル（ＰＳＣ）とも呼ばれてもよい。残りのＣＣは、セカンダリコンポーネントキャリア（ＳＣＣ）として指定される。ＳＣＣは、また、セカンダリキャリア、補助キャリア、セカンダリセル（ＳＣｅｌｌ）、又はセカンダリサービングセル（ＳＳＣ）とも呼ばれてもよい。
【０００７】
概して、ＰＣｅｌｌは、必須のＵＥ固有のシグナリングを搬送し、ＵＥが無線リンクモニタリングを実行するキャリアである。ＰＣｅｌｌは、ＣＡにおけるアップリンク方向及びダウンリンク方向の双方に存在する。単一のＵＬ  ＣＣが存在する場合、ＰＣｅｌｌは、そのＣＣ上になければならない。ネットワークは、異なるＰＣｅｌｌを、同一セクタ又はセルの無線カバレッジ内のエリアで動作している異なるＵＥに割り当ててもよい。
【０００８】
［マルチキャリアＳＣｅｌｌのセットアップ又は解放手続］
マルチキャリアＳＣｅｌｌのセットアップは、ここでは、ＣＡ対応ＵＥによるダウンリンク（ＤＬ）及び／又はアップリンク（ＵＬ）におけるＳＣｅｌｌの使用を、ネットワークノードが少なくとも一時的にセットアップし、又は解放することを可能にする手続をいう。ここで、ＳＣｅｌｌのセットアップ又は解放手続又はコマンドは、以下のうちの１つ以上を含み得る。
・ＳＣｅｌｌ追加としても知られる、ＳＣｅｌｌの構成（セットアップ）
・ＳＣｅｌｌ解放としても知られる、ＳＣｅｌｌの構成解除（解放）
・ＳＣｅｌｌのアクティブ化（セットアップ）
・ＳＣｅｌｌの非アクティブ化（解放）
【０００９】
［ＳＣｅｌｌの構成及び構成解除］
ＳＣｅｌｌの構成手続、即ち、ＳＣｅｌｌの追加／解放は、１つ以上のＳＣｅｌｌ、例えば、ＤＬ  ＳＣｅｌｌ、ＵＬ  ＳＣｅｌｌ、又はその双方と共にＣＡ対応ＵＥを構成するために、サービング無線ネットワークノード、例えば、ＬＴＥにおけるｅＮｏｄｅＢ又はＨＳＰＡにおけるＮｏｄｅＢによって使用される。一方、構成解除手続は、１つ以上の既に構成済みのＳＣｅｌｌ、例えば、ＤＬ  ＳＣｅｌｌ、ＵＬ  ＳＣｅｌｌ、又はその双方を構成解除し又は除去するために、サービング無線ネットワークノード又はＲＢＳ（ｅＮｏｄｅＢ若しくはＮｏｄｅＢ）によって使用される。構成又は構成解除手続は、例えば、ＳＣｅｌｌの数を増加若しくは減少させ、又は既存のＳＣｅｌｌを新たなＳＣｅｌｌと交換するために、現在のマルチキャリア構成を変更するためにも使用される。構成及び構成解除は、ＬＴＥ及びＨＳＰＡそれぞれにおける無線リソース制御（ＲＲＣ）シグナリングを使用して、ｅＮｏｄｅＢによって、及びＲＮＣによって行われる。
【００１０】
［セカンダリセルのアクティブ化及び非アクティブ化］
サービング無線ネットワークノード、例えば、ＬＴＥにおけるｅＮｏｄｅＢ又はＨＳＰＡにおけるＮｏｄｅＢは、対応する構成済みセカンダリキャリア上の、１つ以上の非アクティブ化されたＳＣｅｌｌをアクティブ化し、又は１つ以上のアクティブなＳＣｅｌｌを非アクティブ化することができる。ＰＣｅｌｌは、常にアクティブ化されている。構成済みＳＣｅｌｌは、追加時、及びセルの変更、例えばハンドオーバの後、最初は非アクティブ化されている。ＨＳＰＡにおいて、アクティブ化及び非アクティブ化コマンドは、高速共有制御チャネル（ＨＳ−ＳＣＣＨ）を介してＮｏｄｅＢによって送信される。ＬＴＥにおいて、アクティブ化及び非アクティブ化コマンドは、メディアアクセス制御（ＭＡＣ）制御エレメント（ＭＡＣ−ＣＥ）を介してｅＮｏｄｅＢによって送信される。ＳＣｅｌｌの非アクティブ化は、ＵＥのバッテリ電力を節約する。
【００１１】
既存の解決策では、ＳＣｅｌｌのアクティブ化及び非アクティブ化遅延要件が、以下で説明されるように１つのＳＣｅｌｌに対してのみ存在する：
Ａ．  ＳＣｅｌｌアクティブ化遅延：ＵＥが、非アクティブ化されたＳＣｅｌｌをアクティブ化することがその間に可能である遅延は、特定の条件に依存し、及びＵＥによってサポートされるＣＣの数にも依存する。サブフレームｎにおいてＳＣｅｌｌアクティブ化コマンドを受信すると、ある予め定義された条件がＳＣｅｌｌについて満たされ、且つＵＥが１つのＳＣｅｌｌと共に構成されることを条件として、ＵＥは、サブフレームｎ＋２４までに、アクティブ化対象のＳＣｅｌｌについての有効なチャネル状態情報（ＣＳＩ）レポートを送信可能であるものとされる。さもなければ、ＵＥは、サブフレームｎにおいてＳＣｅｌｌアクティブ化コマンドを受信すると、ＳＣｅｌｌが最初の試行で成功裏に検出されることができ、且つ１つのＳＣｅｌｌと共に構成されることを条件として、サブフレームｎ＋３４までに、アクティブ化対象のＳＣｅｌｌについての有効なＣＳＩレポートを送信可能であるものとされる。有効なＣＳＩは、ＵＥ測定に基づくものであって、ＣＱＩインデックス＝０（レンジ外を意味する）を例外として、いずれかの予め定義されるチャネル品質インジケータ（ＣＱＩ）値に対応する。ＵＥが２つ以上のＳＣｅｌｌと共に構成される場合、アクティブ化遅延は、２４個のサブフレーム又は３４個のサブフレームより長くなり得る。
Ｂ．  ＳＣｅｌｌ非アクティブ化遅延：ＳＣｅｌｌ非アクティブ化コマンドを受信すると、又はサブフレームｎにおいてＳＣｅｌｌ非アクティブ化タイマ（sCellDeactivationTimer）が満了すると、ＵＥは、遅くともサブフレームｎ＋８までに、非アクティブ化対象のＳＣｅｌｌについての非アクティブ化動作を達成するものとされる。
【００１２】
［ＬＴＥを使用した未ライセンススペクトルへのライセンス支援型アクセス（ＬＡＡ）］
例えば、５〜６ＧＨｚレンジ内では５１５０ＭＨｚ及び５９２５ＭＨｚの間で見出すことのできる未ライセンススペクトルは、複数の異なる技術によって、例えば、ＬＴＥとＩＥＥＥ（Institute  of  Electrical  and  Electronics  Engineers）Ｗｉ−Ｆｉによって、同時に使用され又は共有されることができる。ＬＡＡは、ＬＴＥ機器が、未ライセンス無線スペクトルにおいて動作することをも可能にすることを意図している。同一のＬＡＡのコンセプトが、北米における３．５ＧＨｚレンジなどの、他のスペクトルにおいても使用され得ることに留意するものとする。ＬＡＡモードでは、デバイスは、ライセンス済みスペクトルにおいてプライマリセル、即ちＰＣｅｌｌへ接続し、及びＣＡを使用してセカンダリセル、即ちＳＣｅｌｌを介して未ライセンススペクトルにおける追加的な送信キャパシティの恩恵を受ける。したがって、ＵＥは、未ライセンススペクトルにおいて１つ以上のＳＣｅｌｌと共に構成され得る。
【００１３】
未ライセンススペクトルは、他のワイヤレス技術（例えば、Ｗｉ−Ｆｉ、レーダ、Ｂｌｕｅｔｏｏｔｈ、固定衛星システム）と共有されなければならないため、いわゆるＬＢＴ（Listen-Before-Talk）方式が適用される必要がある。ＬＢＴは、送信があるか否か、したがって、チャネルがビジーか否かを判断するために、予め定義される最小時間量の間、媒体のセンシングを行うこと、及びチャネルがビジーの場合にバックオフを行うことを伴う。よって、既にチャネル上に送信が存在する場合、送信は行われない。図３は、ＬＴＥのＣＡを使用した未ライセンススペクトルへのＬＡＡを示しており、ＵＬ及びＤＬのＰＣｅｌｌがライセンス済みスペクトル上で動作しており、ＳＣｅｌｌが未ライセンススペクトル上で動作している。
【００１４】
［ＬＢＴ（Listen-Before-Talk）］
ＬＢＴ手続によれば、未ライセンススペクトルにおいて送信を行うことを希望する送信機又は送信ノード（例えば、ＤＬの場合の無線基地局、又はＵＬの場合のＵＥ若しくはワイヤレスデバイス）は、送信を開始する前に、キャリア上でリッスンする必要がある。媒体がフリーである場合、送信機は送信可能であり、一方、媒体がビジーの場合、例えば、何らかの他のノードが送信中である場合、送信ノードは、送信することができず、送信ノードは、後で再試行するかもしれない。したがって、ＬＢＴ手続は、チャネル使用前にＣＣＡ（Clear  Channel  Assessment）チェックを有効にする。ＣＣＡに基づいて、チャネルがクリアであることが見出される場合、ＬＢＴは成功したものと見なされる。一方、チャネルが占有されていることが見出される場合、ＬＢＴは失敗したものと見なされ、これはＬＢＴ失敗（LBT  Failure）としても知られる。ＬＢＴ失敗は、送信ノードに、同一の及び／又は後続の複数のサブフレームにおいて信号を送信しないように要求する。送信が禁じられる正確なサブフレーム、及びさらにはサブフレームの数は、ＬＢＴ方式の具体的な設計に依存する。
【００１５】
ＬＢＴに起因して、媒体又はチャネルが再びフリーとなるまで、未ライセンス帯域における送信は遅延するかもしれない。また、送信ノード間の協調が全くない場合（大抵の場合そうである）、遅延はランダムに現れるかもしれない。
【００１６】
もっとも単純な形態では、ＬＢＴは、ある時間単位に等しいピリオドで周期的に実行される。例として、１つの時間単位は、１つの送信時間間隔（ＴＴＩ）、１つのタイムスロット、又は１つのサブフレームであってもよい。ＬＢＴにおけるリスニングの時間長は、典型的には、数μ秒から数十μ秒のオーダである。典型的には、ＬＢＴのために、各ＬＴＥサブフレームは、２つの部分に分割される。第１の部分では、リスニングが行われ、第２の部分は、チャネルがフリーであるように見える場合にデータを搬送する。リスニングは、カレントサブフレームの始まりにおいて発生し、そのサブフレーム及び次の若干のサブフレームにおいてデータ送信が継続されることになるか否かが判定される。したがって、サブフレームＰ＋ｎまでのサブフレームＰにおけるデータ送信が、サブフレームＰの始まりの期間中のリスニングの結果によって判定される。数ｎは、システム設計及び／又は規制上の要件に依存する。
【００１７】
［ディスカバリリファレンス信号］
ディスカバリリファレンス信号（ＤＲＳ）は、ＵＥにおいて予め定義され、又は予め構成される任意の種類のリファレンス又はパイロット信号である。ＬＡＡにおいて、ダウンリンクでのＤＲＳは、チャネル推定、セルへの同期、自動周波数制御（ＡＦＣ：Automatic  Frequency  Control）、自動利得制御（ＡＧＣ：Automatic  Gain  Control）、及び無線測定などの機能をＵＥが実行することを可能にするために使用され得る。無線測定の例は、セルサーチ、リファレンス信号受信電力（ＲＳＲＰ）若しくはリファレンス信号受信品質（ＲＳＲＱ）測定、位置測定、又はＣＳＩ測定である。ＣＳＩ測定の例は、ＣＱＩ、ＲＩ（Rank  Indicator）、ＰＭＩ（Pre-coding  Matrix  Indicator）測定である。
【００１８】
ＤＲＳの送信は、ＤＲＳ機会に発生する。ＤＲＳは、例えば、プライマリ同期信号（ＰＳＳ）、セカンダリ同期信号（ＳＳＳ）、セルリファレンス信号（ＣＲＳ）、及びＳＣＩリファレンス信号（ＣＳＩ−ＲＳ）を含んでもよい。ＵＥは、ＵＥがＵＲＳを受信可能な時間ウィンドウである、ディスカバリ測定タイミング構成（ＤＭＴＣ）と共に構成される。ＤＭＴＣは、ＤＲＳ機会としても知られるある時間長（例えば、１〜６ｍｓの間）を有するウィンドウを提供し、それは、ＵＥがディスカバリ信号又はＤＲＳを受信すると予期し得る、ある周期性及びタイミングで発生する。ＤＲＳ機会の周期性の例は、４０、８０、又は１６０ｍｓである。
【００１９】
ＬＢＴに起因して、送信ネットワークノードが、ＤＲＳを送信することができない、いくつかの場合又は機会が存在する。よって、ＤＲＳは、ＤＲＳ機会ごとに送信されるわけではない。ＬＢＴがＤＲＳ送信に適用される場合、ライセンス済みスペクトルにおけるセル上で送信されるリリース１２のＤＲＳの場合のような周期的なやり方でＤＲＳが送信されることができない場合がいくつか存在する。そこで、３ＧＰＰ  ＴＲ３６．８８９バージョン１３．０．０，２０１５−０６において記述されているように、ＬＡＡのためのＤＲＳ設計に対して以下の２つのオプションが考えられ得る。
１．  ＬＢＴの影響下にある場合、ＤＲＳは、構成済みのＤＭＴＣ内の固定的な時間位置において送信される。
２．  ＬＢＴの影響下にある場合、ＤＲＳは、構成済みのＤＭＴＣ内の異なる時間位置のうちの少なくとも１つにおいて送信されることが許容される。
上記２つの手段が図４に示されており、手段１及び手段２としてそれぞれ参照されている。
【００２０】
［ＬＴＥを使用する未ライセンススペクトルのスタンドアローンアクセス］
完全にスタンドアローンなやり方で未ライセンススペクトルにおいて動作するＬＴＥシステムも存在するであろう。ＬＡＡとスタンドアローンＬＴＥとの間の差異は、スタンドアローン用途においては、未ライセンスキャリアとアグリゲートされるいかなるライセンス済みキャリアも存在しないが、ＬＡＡ動作においては、未ライセンスＬＴＥがライセンス済みキャリアと常にアグリゲートされるということである。スタンドアローン動作は、ＵＬが、ＬＴＥの未ライセンススペクトル用途においても許容されるであろうことを意味する。ライセンス済みキャリアからのいかなるサポートも無いこととなるため、スタンドアローンＬＴＥシステムは、未ライセンススペクトルにおける全ての機能性に責任を有する。
【００２１】
スタンドアローン動作において、ＵＥは、単一の未ライセンスキャリアを使用可能であってもよく、又は１つより多くの未ライセンスキャリアをアグリゲートすることが可能であってもよい。後者の場合、ＰＣｅｌｌ及びＳＣｅｌｌの双方が、未ライセンススペクトル内にあることとなる。
【００２２】
［デュアルコネクティビティモードでのＬＡＡ動作］
ＬＡＡにおいて、未ライセンスキャリアは、また、デュアルコネクティビティのやり方で、ライセンス済みキャリアとアグリゲートされ得る。デュアルコネクティビティ（ＤＣ）モードでは、マスタｅＮｏｄｅＢ（ＭｅＮＢ）における少なくとも１つのＣＣが、ＰＣｅｌｌと呼ばれ、セカンダリｅＮｏｄｅＢ（ＳｅＮＢ）における少なくとも１つのＣＣが、ＰＳＣｅｌｌと呼ばれる。ＰＣｅｌｌ及びＰＳＣｅｌｌは、機能的に類似のノードである。しかしながら、ＰＳＣｅｌｌのアクティブ化／非アクティブ化／構成／構成解除は、ＰＣｅｌｌによって制御される。ＤＣ動作における接続済みノードは、互いに独立であり、よって、全ての制御シグナリングが、個別に行われる。
【発明の概要】
【発明が解決しようとする課題】
【００２３】
［問題の説明］
例えばＬＡＡ又は未ライセンススペクトルのスタンドアローンのＬＴＥアクセスにおいて、１つ以上のＣＣが（例えば、５ＧＨｚレンジ内の）未ライセンス周波数帯域へ属し得る。未ライセンス周波数帯域は、異なる事業者の複数のワイヤレスデバイスの間で共有されることができる。スペクトルの公平な共有を可能にするために、ＬＢＴなどの仕組みが未ライセンス帯域のＣＣに適用されることになる。ＰＣｅｌｌ及びＳＣｅｌｌにＣＡが適用される場合、いかなるＣＣ上のＳＣｅｌｌも、ネットワークノード、例えばｅＮｏｄｅＢにより、ＵＥにおいて構成され、構成解除され、アクティブ化され、又は非アクティブ化されることができる。上で述べたように、ＬＢＴに起因して、ＤＲＳ信号のうちのいくつかは、ＤＲＳ機会において他の送信によりチャネル又は媒体がビジーであり得るために、ネットワークノードにより送信されないかもしれず又は遅延するかもしれない。ＳＣｅｌｌ（又はスタンドアローンキャリア）が未ライセンス帯域内で動作している場合、ＵＥは、当該ＵＥが同期を達成するためにＤＲＳを使用することから、ＬＢＴ手続に起因して、例えばセルアクティブ化手続に関連付けられる要件（例えば、遅延）を充足することができないかもしれない。
【課題を解決するための手段】
【００２４】
したがって、ある目的は、上記で概説された問題のうちのいくつかに対処し、ＳＣｅｌｌの的確なアクティブ化を可能にするための解決策を提供することである。ＬＢＴがＳＣｅｌｌ上に適用される場合であっても、ＵＥが、そのＳＣｅｌｌをアクティブ化することが可能であることを保証する新たなアクティブ化手続が、提供される。
【００２５】
複数の観点によれば、ｅＮｏｄｅＢなどのネットワークノードによって実行される方法、及びＵＥなどのワイヤレスデバイスによって実行される対応する方法が提供される。さらに、ネットワークノード及びワイヤレスデバイスが提供される。さらなる観点によれば、上記目的は、上記複数の観点に対応するコンピュータプログラム及びコンピュータプログラムプロダクトによって達成される。
【００２６】
第１の観点によれば、無線通信システムのネットワークノードによってサービスされるワイヤレスデバイスにおいて実行される方法が提供される。上記ワイヤレスデバイスは、キャリアアグリゲーション可能であってネットワークノードによりプライマリセル（ＰＣｅｌｌ）及び第１のセカンダリセル（ＳＣｅｌｌ）と共に構成される。上記方法は、第１のＳＣｅｌｌをアクティブ化するためのアクティブ化コマンドを受信することを含む。上記方法は、アクティブ化コマンドに応じて、第１のＳＣｅｌｌをアクティブ化するための第１のアクティブ化手続を、可変的な時間ピリオドにわたって実行することをも含む。上記可変的な時間ピリオドは、第１のアクティブ化手続の期間中にワイヤレスデバイスにおいて第１のＳＣｅｌｌのディスカバリリファレンス信号機会が利用可能でない回数と共に増加する。
【００２７】
第２の観点によれば、無線通信システムのネットワークノードにおいて実行される方法が提供される。上記ネットワークノードは、キャリアアグリゲーション可能なワイヤレスデバイスにサービスしている。上記ネットワークノードは、プライマリセル（ＰＣｅｌｌ）及びセカンダリセル（ＳＣｅｌｌ）と共にワイヤレスデバイスを構成済みである。上記方法は、ＳＣｅｌｌをアクティブ化するためのアクティブ化コマンドをワイヤレスデバイスへ送信することを含む。上記方法は、アクティブ化コマンドに応じて、ワイヤレスデバイスから、ＳＣｅｌｌについての有効なチャネル状態情報（ＣＳＩ）レポートを受信すること、をも含み、上記ＣＳＩレポートは、アクティブ化コマンドの送信から可変的な時間ピリオド内に受信され、上記可変的な時間ピリオドは、ワイヤレスデバイスにおいてＳＣｅｌｌのディスカバリリファレンス信号機会が利用可能でない回数と共に増加する。
【００２８】
第３の観点によれば、無線通信システムのネットワークノードによってサービスされる、ように構成されるワイヤレスデバイスが提供される。上記ワイヤレスデバイスは、キャリアアグリゲーション可能であってネットワークノードによりプライマリセル（ＰＣｅｌｌ）及び第１のセカンダリセル（ＳＣｅｌｌ）と共に構成可能である。上記ワイヤレスデバイスは、第１のＳＣｅｌｌをアクティブ化するためのアクティブ化コマンドを受信し、アクティブ化コマンドに応じて、第１のＳＣｅｌｌをアクティブ化するための第１のアクティブ化手続を、可変的な時間ピリオドにわたって実行する、ようにさらに構成される。上記可変的な時間ピリオドは、第１のアクティブ化手続の期間中にワイヤレスデバイスにおいて第１のＳＣｅｌｌのディスカバリリファレンス信号機会が利用可能でない回数と共に増加する。
【００２９】
第４の観点によれば、無線通信システムのためのネットワークノードが提供される。上記ネットワークノードは、キャリアアグリゲーション可能なワイヤレスデバイスにサービスし、プライマリセル（ＰＣｅｌｌ）及びセカンダリセル（ＳＣｅｌｌ）と共にワイヤレスデバイスを構成する、ように構成される。上記ネットワークノードは、ＳＣｅｌｌをアクティブ化するためのアクティブ化コマンドをワイヤレスデバイスへ送信する、ようにさらに構成される。上記ネットワークノードは、アクティブ化コマンドに応じて、ワイヤレスデバイスから、ＳＣｅｌｌについての有効なチャネル状態情報（ＣＳＩ）レポートを受信する、ようにも構成される。上記ＣＳＩレポートは、アクティブ化コマンドの送信から可変的な時間ピリオド内に受信され、上記可変的な時間ピリオドは、ワイヤレスデバイスにおいてＳＣｅｌｌのディスカバリリファレンス信号機会が利用可能でない回数と共に増加する。
【発明の効果】
【００３０】
実施形態の利点は、ＳＣｅｌｌについてのアクティブ化遅延要件などの要件を満たしつつ、スケジューリングされる送信のためにＳＣｅｌｌを使用することができるように、ＵＥがＳＣｅｌｌを的確にアクティブ化可能であることを、新たなアクティブ化手続が保証することである。
【００３１】
実施形態の他の目的、利点、及び特徴が、添付する図面及び特許請求の範囲と併せて考慮される場合に、以下の詳細な説明において説明される。
【図面の簡単な説明】
【００３２】
【図１】Ｅ−ＵＴＲＡＮの概略図である。
【図２】ＣＡの概略図である。
【図３】ＬＡＡの概略図である。
【図４】ＬＡＡのＤＲＳ設計オプションの概略図である。
【図５】異なるＬＢＴ成功率を有するセルの概略図である。
【図６ａ】ワイヤレスデバイスにおける方法の例を示すフローチャートである。
【図６ｂ】ワイヤレスデバイスにおける方法の例を示すフローチャートである。
【図７】ネットワークノードにおける方法の例を示すフローチャートである。
【図８】本発明の実施形態に係る、ネットワークノード及びワイヤレスデバイスを概略的に示すブロック図である。
【図９】本発明の実施形態に係る、ワイヤレスデバイスにおける方法を示すフローチャートである。
【図１０ａ】本発明の実施形態に係る、ネットワークノードにおける方法を示すフローチャートである。
【図１０ｂ】本発明の実施形態に係る、ネットワークノードにおける方法を示すフローチャートである。
【発明を実施するための形態】
【００３３】
以下では、様々な観点が、ある実施形態及び添付図面を参照して、より詳細に説明される。限定ではなく説明の目的で、様々な実施形態の十分な理解をもたらすために、特定のシナリオ及び技術などの具体的詳細が記述される。しかしながら、それら具体的詳細から逸脱する他の実施形態もまた存在してよい。
【００３４】
さらに、ここで以下に説明される機能及び手段は、プログラムされたマイクロプロセッサ若しくは汎用コンピュータと連携して機能するソフトウェアを使用して、及び／又は特定用途向け集積回路（ＡＳＩＣ）を使用して実装され得ることを、当業者であれば理解するであろう。また、理解されるであろうこととして、実施形態は主として方法及びノードの形式で説明されているが、それらは、コンピュータプログラムプロダクトで、並びに、コンピュータプロセッサ及び当該プロセッサへ連結されるメモリを備えるシステムで具現化されてもよく、そのメモリは、ここで開示される機能を実行し得る１つ以上のプログラムで符号化される。
【００３５】
いくつかの実施形態において、非限定的な用語であるＵＥは、ワイヤレスデバイスの一例として使用される。ここでのＵＥは、ネットワークノード又は別のＵＥと無線信号を介して通信することが可能な、任意の種類のワイヤレスデバイスであり得る。ＵＥは、また、無線通信デバイス、ターゲットデバイス、デバイスツーデバイス（Ｄ２Ｄ）ＵＥ、マシンタイプＵＥ若しくはマシンツーマシン通信可能なＵＥ、ＵＥ搭載センサ、タブレット、モバイル端末、スマートフォン、ラップトップ組み込み機器（ＬＥＥ）、ラップトップ搭載機器（ＬＭＥ）、ＵＳＢドングル、又はカスタマ構内機器（ＣＰＥ）であってもよい。
【００３６】
また、いくつかの実施形態において、一般的な用語“ネットワーク（ＮＷ）ノード”が使用される。これは、基地局、無線基地局、基地送受信局、基地局コントローラ、ネットワークコントローラ、拡張ＮｏｄｅＢ、ＮｏｄｅＢ、ＲＮＣ、リレーノード、測位ノード、Ｅ−ＳＭＬＣ、ロケーションサーバ、リピータ、アクセスポイント、無線アクセスポイント、リモート無線ユニット（ＲＲＵ）、リモート無線ヘッド（ＲＲＨ）、分散型アンテナシステム（ＤＡＳ）におけるＭＳＲ  ＢＳノードなどのマルチスタンダード無線（ＭＳＲ）無線ノード、ＳＯＮノード、Ｏ＆Ｍ、ＯＳＳ、ＭＤＴノード、コアネットワークノード、又はＭＭＥなどの、いかなる種類のネットワークノードであってもよい。
【００３７】
実施形態は、例えば、ＬＴＥ  ＦＤＤ／ＴＤＤ、ＷＣＤＭＡ／ＨＳＰＡ、ＧＳＭ／ＧＥＲＡＮ、ＷｉＦｉ、ＣＤＭＡ２０００などの、ギャップ無しの測定及び／又はマルチキャリア動作に関与する、いかなる無線アクセス技術（ＲＡＴ）又はマルチＲＡＴシステムにも適用可能である。また、実施形態は、例えば、ＲＲＣ接続済み状態、ＣＥＬＬ＿ＤＣＨ状態、アイドル状態、アイドルモード、ＣＥＬＬ＿ＰＣＨ、ＵＲＡ＿ＰＣＨ、ＣＥＬＬ＿ＦＡＣＨなどのいかなるＲＲＣ状態にあるＵＥによって実行される手続又は無線動作にも適用可能である。
【００３８】
これ以降、ＬＡＡにおけるＣＡ関連要件のある側面が示唆するところが説明される。ＤＬ送信のみで動作するＬＡＡ  ＳＣｅｌｌについての要件が検討されるかもしれない。これが意味するのは、ＵＬはライセンス済みスペクトル内のみにあり、即ち、ＰＣｅｌｌはライセンス済みスペクトル内であって、ＤＬのみのＳＣｅｌｌが未ライセンススペクトル内にあることである。これは、測定要件を別として、ＳＣｅｌｌアクティブ化及び非アクティブ化遅延についてのＣＡ固有の要件が、ＬＡＡについて定義されなければならないということをも意味する。ＳＣｅｌｌのアクティブ化を実行するために、ＵＥは、そのＳＣｅｌｌによって送信されるＰＳＳ／ＳＳＳ／ＣＲＳを使用する。３ＧＰＰリリース１０のＣＡに関連する、既存のＳＣｅｌｌアクティブ化／非アクティブ化遅延要件は、ＰＳＳ／ＳＳＳ／ＣＲＳが、３ＧＰＰリリース８のＬＴＥ物理レイヤ設計に従ってＵＥにおいて利用可能であるという前提の下で定義されている。このケースでは、全てのＣＣが、ライセンス済み帯域上にある。しかしながら、ＰＳＳ／ＳＳＳ／ＣＲＳが定期的に送信されるリリース１０のＣＡとは異なり、ＬＡＡにおいては、ＬＢＴ手続に起因して、ＤＲＳ信号（即ち、ＰＳＳ／ＳＳＳ／ＣＲＳ）は、周期的及び定期的に利用可能ではないかもしれない。ＬＢＴ手続に起因して、未ライセンス帯域上でＳＣｅｌｌをアクティブ化するためのＳＣｅｌｌアクティブ化遅延は、完全に決定論的ではない。したがって、ＳＣｅｌｌアクティブ化要件についての固定的な遅延を定義することが、困難である場合がある。代わりに、ＳＣｅｌｌアクティブ化遅延は、可変的な時間長として定義されなければならないかもしれない。例えば、その時間長は、ＳＣｅｌｌアクティブ化手続の期間中にＵＥにおいて利用可能なＤＲＳを含むサブフレームの、ある最小数の観点で表現されることができる。これは、より影響の大きいＬＢＴ失敗が存在しそれがアイドルピリオド中（即ち、ＳＣｅｌｌが送信を行わない場合）のＤＲＳ送信の停止をもたらす場合に、遅延がより長くなることを意味する。一方、ＳＣｅｌｌ非アクティブ化手続は、ＤＲＳの使用を要さず、そのため、現行の要件は非アクティブ化のために再使用されるとみられる。
【００３９】
例えば、ＬＢＴ手続がＳＣｅｌｌ上で使用される場合に、利用可能でないＤＲＳ機会に起因してＵＥが時間通りにＳＣｅｌｌをアクティブ化することができない問題は、よって、例えば、可変的なＳＣｅｌｌアクティブ化遅延内に未ライセンス帯域に属するＣＣ（競合ベースの送信のためのＣＣとも呼ばれる）上で、ＵＥがＳＣｅｌｌのアクティブ化を実行する解決策によって対処される。可変的なＳＣｅｌｌアクティブ化遅延は、ＬＢＴ失敗に起因して、ＤＲＳ機会のＤＲＳがワイヤレスデバイスにおいて逸失した回数に依存する。サブフレームにおけるＬＢＴ失敗は、ネットワークノードが１つ以上のサブフレームにおいて信号を送信しないことを要し、それらがＤＲＳ機会のＤＲＳをも含み得る
【００４０】
実施形態の利点は、ワイヤレスデバイスが、未ライセンススペクトルのＣＣに属するＳＣｅｌｌ又はキャリアを正確にアクティブ化し得るということ、及び、ＤＲＳが例えばＬＢＴに起因して連続して送信されない場合であっても、未ライセンスＣＣ又は未ライセンスキャリアのアクティブ化遅延が良好に特定されるということである。
【００４１】
ＳＣｅｌｌアクティブ化手続期間中の状況をさらに改善するために、実施形態において、ＳＣｅｌｌにサービスするネットワークノードは、ＤＲＳを含み、且つＬＢＴ失敗に起因して送信を行うことができないサブフレームにおいて、ＬＢＴを適用することを回避してもよい。これにより、ＵＥが、より短い遅延を終えてＳＣｅｌｌアクティブ化を実行することをやはり可能にし得る。
【００４２】
本発明の実施形態の説明は、以下の主なセクションへ分けられる。
１．ＳＣｅｌｌアクティブ化／非アクティブ化手続に関与するシナリオの説明
２．スペクトルの種類に基づいてＳＣｅｌｌアクティブ化／非アクティブ化手続を適応させるＵＥにおける方法
３．スペクトルの種類に基づいてＳＣｅｌｌアクティブ化／非アクティブ化手続を適応させるネットワークノードにおける方法
【００４３】
［１ａ．ライセンス済みキャリア上のＰＣｅｌｌを有するＳＣｅｌｌアクティブ化／非アクティブ化に関与するシナリオの説明］
基本的なシナリオは、第１のキャリア周波数（ｆ１）上で動作するＰＣｅｌｌを伴う第１のネットワークノードによってＵＥがサービスされることを含み、ＵＥは、第１のＳＣｅｌｌとしても知られる少なくとも１つのセカンダリサービングセル（ＳＣｅｌｌ）によってサービスされることも可能である。ＵＥは、さらに、２つのＳＣｅｌｌ：第１のＳＣｅｌｌ及び第２のＳＣｅｌｌによってサービスされることが可能であってもよい。第１のＳＣｅｌｌは、第２のキャリア周波数（ｆ２）上で動作し、第２のＳＣｅｌｌは、第３のキャリア周波数（ｆ３）上で動作する。キャリアｆ１及びｆ３は、ライセンス済みスペクトル又は帯域に属し、一方、ｆ２は、未ライセンススペクトル又は周波数帯域に属する。
【００４４】
未ライセンススペクトル又は周波数帯域では、競合ベースの送信が可能であり、即ち、２つ以上のデバイス（ＵＥ又はネットワークノード）が、スペクトルの同一部分にさえアクセス可能である。この場合、どの事業者も、スペクトルを“所有”せず、又はスペクトルを使用する排他的権利を有しない。ライセンス済みスペクトル又はライセンス済み帯域では、競合フリーの送信のみが可能であり、即ち、スペクトルライセンスの所有者によって許可されるデバイス（ＵＥ又はネットワークノード）のみが、ライセンス済みスペクトルにアクセスすることができる。
【００４５】
いくつかの実施形態では、ＵＥは、２つより多くのＳＣｅｌｌ、例えば、キャリア周波数（ｆ４）上で動作する第３のＳＣｅｌｌなどによってサービスされることがやはり可能であってもよい。ｆ４は、ライセンス済みスペクトル（若しくは帯域）又はライセンス済みスペクトル（若しくは帯域）のいずれかにあってよい。
【００４６】
キャリアｆ１は、ＰＣＣと互換可能に呼ばれ、キャリアｆ２、ｆ３、及びｆ４は、それぞれＳＣＣ１、ＳＣＣ２、及びＳＣＣ３と互換可能に呼ばれ得る。
【００４７】
ここでの‘サービスされる又はサービスされている’という用語は、ＵＥが、対応するサービングセルと共に構成され、サービングセル上、例えば、ＰＣｅｌｌ又はいずれかのＳＣｅｌｌ上のネットワークノードからデータを受信し、及び／又はネットワークノードへデータを送信することができることを意味する。データは、物理チャネル、例えば、ＤＬにおけるＰＤＳＣＨ（Physical  DL  Shared  Channel）、及びＵＬにおけるＰＵＳＣＨ（Physical  UL  Shared  Channel）を介して送信され又は受信される。
【００４８】
ＵＥは、以下のように、１つ以上のＳＣｅｌｌをアクティブ化し又は非アクティブ化するようにリクエストされ得る：
・第１のＳＣｅｌｌをアクティブ化し又は非アクティブ化するための第１のＳＣｅｌｌアクティブ化又は非アクティブ化リクエストメッセージ又はコマンドを第２のネットワークノードから受信；
・第２のＳＣｅｌｌをアクティブ化し又は非アクティブ化するための第２のＳＣｅｌｌアクティブ化又は非アクティブ化リクエストメッセージ又はコマンドを第３のネットワークノードから受信；
・第３のＳＣｅｌｌをアクティブ化し又は非アクティブ化するための第３のＳＣｅｌｌアクティブ化又は非アクティブ化リクエストメッセージ又はコマンドを第４のネットワークノードから受信；
【００４９】
実施形態は、未ライセンススペクトル上の少なくとも１つのＳＣｅｌｌについて説明され、又は、いくつかの場合においては、１つがライセンス済み、１つが未ライセンススペクトル若しくは周波数帯域上の２つのＳＣｅｌｌについて説明される。しかしながら、それら実施形態は、いかなる数のＳＣｅｌｌにも適用可能であり、その一方、少なくとも１つのＳＣｅｌｌが未ライセンススペクトル又は周波数帯域に属するＣＣ上で動作する。
【００５０】
いくつかの実施形態では、第１、第２、第３、及び第４のネットワークノードのうちの少なくともいくつかが、同一であるか、又は、同一サイト若しくは位置に共設される。例えば、いくつかの実施形態では、ＵＥは、１つ以上のＳＣｅｌｌをアクティブ化し又は非アクティブ化するための１つ以上のメッセージ又はコマンドを第１のネットワークノードから受信してもよい。そのような実施形態における例として、ＵＥは、また、１つ以上のＳＣｅｌｌをセットアップし、又は解放するための１つ以上のメッセージをＰＣｅｌｌから受信してもよい。ある特定の例において、１つのｅＮｏｄｅＢの実装は、複数のネットワークノードを含んでもよい。
【００５１】
いくつかの実施形態では、第１、第２、第３、及び第４のネットワークノードの任意の組み合わせは、異なるものであり、且つ異なるサイト若しくは位置に配置されてもよく、又は、やはり共設され得る論理的に異なるノードであってもよい。そのような実施形態において、ＵＥは、１つ以上のＳＣｅｌｌをアクティブ化し又は非アクティブ化するための１つ以上のメッセージをそれぞれのＳＣｅｌｌから受信してもよい。ＵＥが、複数のＳＣｅｌｌに対処する１つのコマンド／メッセージを受信する、即ち、あるコマンド／メッセージが複数のＳＣｅｌｌをアクティブ化及び／又は非アクティブ化し得ることもあり得る。
【００５２】
いくつかの実施形態では、ＳＣｅｌｌアクティブ化若しくは非アクティブ化メッセージ若しくはコマンド、又は、いわゆるＳＣｅｌｌセットアップ若しくは解放コマンドが、以下のうちの１つ以上を含み得る：
・ＳＣｅｌｌのアクティブ化（セットアップ）
・ＳＣｅｌｌの非アクティブ化（解放）
・ＳＣｅｌｌの構成又はＳＣｅｌｌ追加（セットアップ）
・ＳＣｅｌｌの構成解除又はＳＣｅｌｌ解放（解放）
【００５３】
背景技術のセクションにおいて説明したように、ＳＣｅｌｌセットアップは、ＳＣｅｌｌの構成を含む。構成済みのＳＣｅｌｌは、構成又は追加後、最初は非アクティブ化されている。よって、構成の後にアクティブ化が続く。いくつかの実施形態では、１つ以上のＳＣｅｌｌアクティブ化又は非アクティブ化メッセージ又はコマンドが、ＵＥによりＲＲＣシグナリングを介して受信されてもよい。ＳＣｅｌｌの構成又は追加は、典型的には、ＬＴＥにおいてＲＲＣを介してシグナリングされる。いくつかの実施形態では、１つ以上のＳＣｅｌｌアクティブ化又は非アクティブ化メッセージ又はコマンドが、ＵＥによりＭＡＣ  ＣＥコマンドを介して受信されてもよい。ＳＣｅｌｌのアクティブ化は、典型的には、ＬＴＥにおいてＭＡＣを介してシグナリングされる。
【００５４】
［１ｂ：未ライセンスキャリアのアクティブ化／非アクティブ化（スタンドアローン動作）に関与するシナリオの説明］
代替的なシナリオは、未ライセンスキャリアにおける第１のセルともいう、未ライセンス帯域における少なくとも１つのキャリアによってサービスされることが可能なＵＥを含む。これは、ＰＣｅｌｌが、未ライセンス帯域に属するＣＣ上にあることを意味し、それは、未ライセンス帯域におけるスタンドアローンＣＡ動作ともいわれる。ＵＥは、さらに、２つのＳＣｅｌｌ：第１の未ライセンスキャリア及び第２の未ライセンスキャリアによってサービスされることが可能であってもよい。第１のキャリアは、第１のキャリア周波数（ｆ１）上で動作し、第２のキャリアは、第２のキャリア周波数（ｆ２）上で動作する。キャリアｆ１及びｆ２は、未ライセンススペクトル又は帯域に属する。
【００５５】
未ライセンススペクトル又は帯域では、競合ベースの送信が可能であり、即ち、２つ以上のデバイス（ＵＥ又はネットワークノード）が、スペクトルの同一部分にさえアクセス可能である。この場合、どの事業者もスペクトルを“所有”しない。いくつかの実施形態では、ＵＥは、２つより多くのＳＣｅｌｌ、例えば、キャリア周波数（ｆ３）上で動作する第３のキャリアなどによってサービスされることが可能であってもよい。ｆ３は、ライセンス済みスペクトル（若しくは帯域）又は未ライセンススペクトル（若しくは帯域）のいずれかにあってもよい。
【００５６】
キャリアｆ１は、ＰＣＣと互換可能に呼ばれ、キャリアｆ２及びｆ３は、それぞれＳＣＣ１及びＳＣＣ２と互換可能に呼ばれ得る。
【００５７】
ここでの‘サービスされる又はサービスされている’という用語は、ＵＥが、対応するサービングセルと共に構成され、サービングセル上、例えば、ＰＣｅｌｌ又はいずれかのＳＣｅｌｌ上のネットワークノードからデータを受信し、及び／又はネットワークノードへデータを送信することができることを意味する。データは、物理チャネル、例えば、ＤＬにおけるＰＤＳＣＨ、ＵＬにおけるＰＵＳＣＨなどを介して送信され又は受信される。
【００５８】
ＵＥは、以下のように、１つ以上のキャリアをアクティブ化し又は非アクティブ化するようにリクエストされ得る：
・第１のキャリアをアクティブ化し又は非アクティブ化するための第１のキャリアアクティブ化又は非アクティブ化リクエストメッセージ又はコマンドを第２のネットワークノードから受信；
・第２のキャリアをアクティブ化し又は非アクティブ化するための第２のキャリアアクティブ化又は非アクティブ化リクエストメッセージ又はコマンドを第２のネットワークノードから受信；
・第３のキャリアをアクティブ化し又は非アクティブ化するための第３のキャリアアクティブ化又は非アクティブ化リクエストメッセージ又はコマンドを第３のネットワークノードから受信；
【００５９】
実施形態は、未ライセンススペクトル上の少なくとも１つのキャリアについて説明される。しかしながら、それら実施形態は、いかなる数のキャリアに適用可能であり、その一方、少なくとも１つのＳＣｅｌｌが未ライセンススペクトル又は周波数帯域に属するＣＣ上で動作する。
【００６０】
いくつかの実施形態では、第１、第２、及び第３のネットワークノードのうちの少なくともいくつかが、同一であるか、又は、同一サイト若しくは位置に共設される。例えば、そのような実施形態では、ＵＥは、１つ以上のキャリアをアクティブ化し又は非アクティブ化するための１つ以上のメッセージ又はコマンドを第１のネットワークノードから受信してもよい。さらに、例えばそのような実施形態では、ＵＥは、１つ以上のキャリアをセットアップし又は解放するための１つ以上のメッセージを第１のキャリアから受信してもよい。ある特定の例において、１つのｅＮｏｄｅＢは、複数のネットワークノードを含む。
【００６１】
いくつかの実施形態では、第１、第２、及び第３のネットワークノードの任意の組み合わせは、異なるものであり、且つ異なるサイト若しくは位置に配置されてもよく、又は、やはり共設され得る論理的に異なるノードであってもよい。そのような実施形態において、ＵＥは、１つ以上のＳＣｅｌｌをアクティブ化し又は非アクティブ化するための１つ以上のメッセージをそれぞれのＳＣｅｌｌから受信してもよい。ＵＥが、複数のＳＣｅｌｌに対処する１つのコマンド／メッセージを受信する、即ち、あるコマンド／メッセージが複数のＳＣｅｌｌをアクティブ化及び／又は非アクティブ化し得ることもあり得る。
【００６２】
いくつかの実施形態では、キャリアアクティブ化又は非アクティブ化メッセージ若しくはコマンド、又は、いわゆるＳＣｅｌｌセットアップ若しくは解放コマンドが、以下のうちの１つ以上を含み得る：
・未ライセンスキャリアのアクティブ化（セットアップ）
・未ライセンスキャリアの非アクティブ化（解放）
・未ライセンスキャリアの構成又は未ライセンスキャリアの追加（セットアップ）
・未ライセンスキャリアの構成解除又は未ライセンスキャリアの解放（解放）
【００６３】
背景技術のセクションにおいて説明したように、ＳＣｅｌｌセットアップは、ＳＣｅｌｌの構成を含む。構成済みのＳＣｅｌｌは、構成又は追加後、最初は非アクティブ化されている。よって、構成の後にアクティブ化が続く。いくつかの実施形態では、１つ以上のＳＣｅｌｌアクティブ化又は非アクティブ化メッセージ又はコマンドが、ＵＥによりＲＲＣシグナリングを介して受信されてもよい。ＳＣｅｌｌの構成又は追加は、典型的には、ＬＴＥにおいてＲＲＣを介してシグナリングされる。いくつかの実施形態では、１つ以上のＳＣｅｌｌアクティブ化又は非アクティブ化メッセージ又はコマンドが、ＵＥによりＭＡＣ  ＣＥコマンドを介して受信されてもよい。ＳＣｅｌｌのアクティブ化は、典型的には、ＬＴＥにおいてＭＡＣを介してシグナリングされる。
【００６４】
［２．スペクトルの種類に基づいてＳＣｅｌｌ又は未ライセンスキャリアのアクティブ化／非アクティブ化手続を適応させるＵＥにおける方法］
ＵＥにおける方法の複数の実施形態が、これ以降で説明され、セクション１ａ及び１ｂにおいて上述したシナリオにおいて適用されてもよい。
【００６５】
Ａ：第１のＵＥの実施形態−未ライセンススペクトル上のＳＣｅｌｌ又はキャリアのみのアクティブ化
ＵＥ手続に関する第１の実施形態では、ＵＥは、全てのＳＣｅｌｌ又は未ライセンスキャリアが未ライセンス周波数スペクトル又は帯域に属するＣＣ上で動作する状況で、１つ以上のＳＣｅｌｌをアクティブ化し又は非アクティブ化するためのＳＣｅｌｌ又は未ライセンスキャリアアクティブ化／非アクティブ化コマンドを受信する。本実施形態では、ＵＥにおいて構成される全てのＳＣｅｌｌ又は未ライセンスキャリアが、未ライセンス周波数帯域上で動作するＣＣに属するものとされる。それらＣＣは、同一の、又は異なる未ライセンス帯域に属してもよい。
【００６６】
ＳＣｅｌｌ又は未ライセンスキャリアが非アクティブ化されている場合、ＵＥは、受信されたコマンドに応じて、そのＳＣｅｌｌ若しくは未ライセンスキャリアをアクティブ化し、又はアクティブ化手続を実行する。しかし、ＳＣｅｌｌ又は未ライセンスキャリアが、アクティブ化されている場合、ＵＥは、受信されたコマンドに応じて、そのＳＣｅｌｌ若しくは未ライセンスキャリアを非アクティブ化し、又は非アクティブ化手続を実行する。コマンドは、各セルについて、当該セルがアクティブ化状態にあるべきか又は非アクティブ化状態にあるべきかを示してもよい。現在非アクティブ化状態にあるセルが、アクティブ化状態にあるべきであるとコマンドが示す場合、ＵＥは、そのセルについてアクティブ化手続を実行する。逆もまた同様で、現在アクティブ化状態にあるセルが、非アクティブ化状態にあるべきであるとコマンドが示す場合、ＵＥは、そのセルについて非アクティブ化手続を実行する。コマンドは、３ＧＰＰ  ＴＳ３６．３２１  ｖ１２．６．０において定義される、ＳＣｅｌｌアクティブ化／非アクティブ化ＭＡＣ  ＣＥであってもよい。
【００６７】
ＵＥは、非アクティブ化手続を適用するためにＤＲＳを使用する必要はないため、ＳＣｅｌｌ又は未ライセンスキャリアの非アクティブ化は、固定的な予め定義された時間（例えば、コマンド受信後の８ｍｓ）を使用して実行され得る。
【００６８】
一方、アクティブ化手続の場合、ＵＥは、ＳＣｅｌｌ又は未ライセンスキャリアをアクティブ化するためにＤＲＳ（例えば、ＰＳＳ／ＳＳＳ／ＣＲＳ）を使用する。ＵＥは、アクティブ化されているＳＣｅｌｌ又は未ライセンスキャリア上でＤＲＳが利用可能である機会の期間中にのみ、ＳＣｅｌｌ又は未ライセンスキャリアをアクティブ化するためにＤＲＳを使用することができる。アクティブ化手続の期間中、ＵＥは、例えば、ＳＣｅｌｌ又は未ライセンスキャリアのタイミングを獲得する。したがって、ＤＲＳは、ＵＥがアクティブ化されるべきＳＣｅｌｌ又は未ライセンスキャリア上での同期を獲得し、ＡＧＣ設定などを実行することを可能にする。例えば、ＬＢＴ手続を条件とする未ライセンス帯域上にあるＳＣｅｌｌ又は未ライセンスキャリア上において、ＤＲＳは、予め定義される、又は予め構成されるＤＲＳ機会ごとに一貫して又は周期的にＵＥにとって利用可能でないことがある。これは、ＤＲＳが、未ライセンス帯域内のＳＣｅｌｌ又は未ライセンスキャリア上でのＬＢＴ手続が原因で、ネットワークノードによって周期的に送信されないことがあるためである。非周期的なＤＲＳ送信に起因して、及び第１のＵＥの実施形態によれば、ＵＥは、アクティブ化手続を開始し、ＳＣｅｌｌ又は未ライセンスキャリアを可変的な時間ピリオド（Ｔ０）にわたってアクティブ化する。時間ピリオドＴ０は、ＵＥがその間にわたって少なくともある数又はインスタンスのＤＲＳ信号を受信することが可能な時間長としてさらに定義される。
【００６９】
したがって、時間長Ｔ０は、ＤＲＳ信号がネットワークノードによりＳＣｅｌｌ又は未ライセンスキャリアについて破棄されること／抑制されること／送信されないことをＬＢＴ手続が要した回数に依存して変化し得る。これは、ＤＲＳ機会がＵＥにおいて利用可能でないという結果をもたらすこととなるため、ピリオドＴ０は、概して、ＤＲＳ信号が破棄されること／抑制されること／送信されないことをＬＢＴ手順が要した回数（Ｌ）と共に増加する。一方、いくつかの場合、Ｔ０は増加しない可能性がある。例えば、ＬＢＴが、ＤＲＳを有しないＤＬリソースにおいて適用される場合、ＵＥは、ＤＲＳを有するいかなるリソースも失わないため、Ｔ０は、必ずしも増加しない可能性がある。一例として、ＬＢＴが全く適用されないという条件で、時間長Ｔ０は１００ｍｓであってもよく、又はＬＢＴがアクティブ手続期間中に１回適用されるという条件で、Ｔ０は１４０ｍｓであってもよい。ＬＢＴが１回よりも多く、例えばＫ回適用される場合、時間長Ｔ０は、例えば、ＴＷを超過しない場合には１００＋Ｋ×４０ｍｓであり、ＴＷをＱ回超過する場合には１００＋（Ｋ＋Ｑ）×４０ｍｓであってもよい。
【００７０】
ここで、受信がある基準を満たすような場合に、ＵＥがＤＲＳを含むＤＬ時間リソース、いわゆるＤＲＳ機会を受信することが可能ということでもよい。例えば、信号は、ある品質及び／又は強度で受信されてもよい。同様に、ＤＲＳ又はＤＲＳ機会に受信される信号が、品質閾値レベル及び／又は強度閾値レベルを下回る場合に、ＵＥは、ＤＲＳ機会を受信することができない。
【００７１】
第１の例示的な実施形態によれば、ワイヤレスデバイスは、ＣＡ可能であり、ＰＣｅｌｌと共に構成される。ワイヤレスデバイスは、競合ベースの送信を可能にする未ライセンス周波数帯域又はスペクトルに属するＣＣ上で動作中であり得る、少なくとも第１のＳＣｅｌｌと共にさらに構成される。ワイヤレスデバイスは、ＬＡＡ対応であってもよく、スタンドアローンでの未ライセンス動作可能であってもよい。ワイヤレスデバイスにおける方法は、第１のＳＣｅｌｌ又は第１のキャリアをアクティブ化し又は非アクティブ化するためのＳＣｅｌｌ又はキャリアアクティブ化又は非アクティブ化コマンドを受信することを含む。方法は、少なくともＮ回のＤＲＳを含むＤＬ時間リソースが、Ｔ０にわたって利用可能であることを条件として、可変的な時間ピリオド（Ｔ０）にわたって第１のＳＣｅｌｌ又は第１のキャリアをアクティブ化することをさらに含む。ＤＲＳを含むＤＬ時間リソースは、例えば、サブフレーム又はＤＲＳ機会であってもよい。
【００７２】
時間ピリオドＴ０の変量は、以下の例で説明される様々な基準に従い得る。
【００７３】
第１の例において、既に上述したように、ＵＥが、少なくともＮ回のＤＲＳ信号を含むＤＬ時間リソース（例えば、Ｎ個のサブフレーム又はＤＲＳ機会）を受信可能であることを条件として、ＵＥは、ＳＣｅｌｌ又は未ライセンスキャリアをアクティブ化してもよい。
【００７４】
第２の例において、ＵＥが、ある時間ピリオド（例えば、Ｔ０）内、又はＮ２回のＤＬ時間リソース内に、少なくともＮ１回のＤＲＳ信号を含む連続するＤＬ時間リソース（例えば、Ｎ１個のサブフレーム）を受信可能であることを条件として、ＵＥは、ＳＣｅｌｌ又は未ライセンスキャリアをアクティブ化してもよい。
・この第２の例のある実施形態において、パラメータＮ１は、例えば、（ライセンス済み又は未ライセンススペクトル／周波数帯域において動作中であり得る）ＰＣｅｌｌ又はＳＣｅｌｌを介して、ネットワークからＵＥへシグナリングされる。Ｎ１が、ネットワークからシグナリングされない場合、それは、モビリティに基づいてもよく、又は屋内若しくは屋外セルに基づいてもよく、又はセルの共設についての知識（例えば、サービングセル対測定済みセル、及び共設されたセル間のＳＮＲ差）に基づいてもよく、又はチャネル上の負荷に基づいてもよい。よって、これら情報をＮ１を定義するために活用することができる。
・この第２の例の別の実施形態では、パラメータＮ１を、以前の知識に基づいて改訂することができる。例えば、ＵＥが、Ｎ１個のサブフレーム内において未ライセンスキャリアをアクティブ化することができない場合、ＰＣｅｌｌ又はネットワークノードは、第２のステップにおいてＮ１についての改訂された数を提供し得る。加えて、ＰＣｅｌｌ又はネットワークノードは、他のＵＥに適用されるようにこの情報を使用することができる。
・この第２の例のさらなる別の実施形態では、ＵＥは、以前のアクティブ化ピリオドにおいて行われた測定を、それらが有効であれば、続くアクティブ化ピリオドについて考慮することができる。例えば、ＵＥがＭ個のウィンドウにおいてＮ２個のサブフレームを取得した場合、ＵＥは、それら測定結果を未来のウィンドウにおける測定結果と合成することができる。
【００７５】
さらに第３の例において、少なくともＮ回のＤＲＳを含む時間リソースがＴ０の期間中利用可能であり、且つＤＲＳを含むどの２つの連続するＤＬリソースも少なくともある時間ウィンドウ（ＴＷ）の範囲内であることを条件として、ＵＥは、Ｔ０の期間中にＳＣｅｌｌ又は未ライセンスキャリアをアクティブ化してよい。その時間ウィンドウ（ＴＷ）は、例えば、そのＳＣｅｌｌに向けにＡＧＣ及び／又はＡＦＣを稼動させることなく、適切な利得状態及び／又は周波数チューニングをＵＥが維持することができる最大の時間を含む。ＴＷを超過する場合、ＵＥは、ＳＣｅｌｌアクティブ化手続を継続する前に、適切な利得状態を見出し及び／又はダウンリンクキャリア周波数を微調整することに関して、次の利用可能なＤＲＳを使用する必要があり得る。
【００７６】
本実施形態の別の観点において、合計のＳＣｅｌｌ又は未ライセンスキャリアアクティブ化遅延（例えば、時間長Ｔ０）は、少なくともＵＥがＳＣｅｌｌ又は未ライセンスキャリアアクティブ化コマンドを受信する時点で、ＳＣｅｌｌ又は未ライセンスキャリアがＵＥにとって既知であるか否かにも依存してもよい。ＳＣｅｌｌ又は未ライセンスキャリアが既知である場合、ＳＣｅｌｌ又は未ライセンスキャリアアクティブ化遅延は、典型的には、ＳＣｅｌｌ又は未ライセンスキャリアが未知であるときよりも短い。例えば、ＳＣｅｌｌ又は未ライセンスキャリアは、以下の条件が満たされる場合に既知である。
−ＳＣｅｌｌ又は未ライセンスキャリアアクティブ化コマンドの受信前のあるピリオドの期間中に：
・ＵＥが、アクティブ化対象のＳＣｅｌｌ又は未ライセンスキャリアについての有効な測定レポートを送信済みであり、及び
・アクティブ化対象のそれらＳＣｅｌｌ又は未ライセンスキャリアが、検出可能なままである。
−アクティブ化対象のＳＣｅｌｌ又は未ライセンスキャリアが、ＳＣｅｌｌ又は未ライセンスキャリアアクティブ化遅延の期間中にも検出可能なままである。
【００７７】
そうでない場合、ＳＣｅｌｌ又は未ライセンスキャリアは、ＵＥにとって未知であると見なされる。ＳＣｅｌｌ又は未ライセンスキャリアが未知である場合、ＵＥは、ＳＣｅｌｌ又は未ライセンスキャリアを最初の試行で検出可能であること、即ち、ＳＣｅｌｌ又は未ライセンスキャリアの無線条件がＳＣｅｌｌのＳＩＮＲ≧−３ｄＢのように強力であることを条件として、ＳＣｅｌｌアクティブ化遅延内にＳＣｅｌｌ又は未ライセンスキャリアをアクティブ化することを要してもよい。
【００７８】
本実施形態のさらなる別の観点によれば、合計のＳＣｅｌｌ又は未ライセンスキャリアアクティブ化遅延（例えば、時間長Ｔ０）は、ＵＥにおいて構成されるＳＣｅｌｌ又は未ライセンスキャリアの数にも依存する。ＳＣｅｌｌ又は未ライセンスキャリアアクティブ化遅延は、構成済みのＳＣｅｌｌ又は未ライセンスキャリアの数と共に増加してもよい。例えば、ＳＣｅｌｌｊ又は未ライセンスキャリアｊについてのＳＣｅｌｌ又は未ライセンスキャリアアクティブ化遅延は、ＳＣｅｌｌｊがアクティブ化されている間に他のｉ番目のＳＣｅｌｌ又はｉ番目の未ライセンスキャリアがアクティブ化され、非アクティブ化され、構成され、又は構成解除される回数（Ｃｉ）によって増加してもよい。これは、以下の例で説明される。
−  １つの例では、ＳＣｅｌｌ又は未ライセンスキャリアが１つだけ存在する場合、遅延の合計はＴ０である。
−  別の例において、２つのＳＣｅｌｌ又は未ライセンスキャリア：ＳＣｅｌｌ１及びＳＣｅｌｌ２、又はキャリア１及びキャリア２が存在する場合。ＳＣｅｌｌ１又はキャリア１がアクティブ化されている期間中に一度、ＳＣｅｌｌ２又はキャリア２がアクティブ化される場合、ＳＣｅｌｌ１又はキャリア１のアクティブ化遅延は、時間長Ｔ０＋Ｄ内であることになる。例として、Ｄは、１０ｍｓである。
−  やはり２つのＳＣｅｌｌ又は２つの未ライセンスキャリアを有する第３の例では、ＳＣｅｌｌ１又はＳＣｅｌｌ１がアクティブ化されている期間中に一度、ＳＣｅｌｌ２又はキャリア２が非アクティブ化され、及びＳＣｅｌｌ２又はキャリア２がアクティブ化される場合、ＳＣｅｌｌ１又はキャリア１のアクティブ化遅延は、時間長Ｔ０＋Ｄ×２内であることになる。例として、Ｄは、１０ｍｓである。
【００７９】
ＳＣｅｌｌ又は未ライセンスキャリアアクティブ化遅延の要件を満たす目的で（即ち、Ｔ０内にＳＣｅｌｌ又は未ライセンスキャリアをアクティブ化するために）、ＵＥは、Ｔ０内に全ての、又は少なくとも十分な数のＤＲＳ送信を追跡しなければならない。ＵＥは、ＬＢＴに起因して逸失するＤＲＳ送信が、そのＳＣｅｌｌ又は未ライセンスキャリアのアクティブ化について誤って考慮されないこと、即ち、ＵＥがＬＢＴに起因して逸失するＤＲＳ送信の期間中にＤＲＳ上で相関を実行しないこと、をも保証する必要がある。これは、ＵＥ内の余計な処理及びメモリといったＵＥの実装における変更を要する。例えば、ＵＥの実装は、ＵＥが、ＳＣｅｌｌ又は未ライセンスキャリアのアクティブ化のために有効なＤＲＳのみを使用することを保証するため、及びＳＣｅｌｌ又は未ライセンスキャリアアクティブ化遅延要件をも満たすために、ＬＢＴ手続とアクティブ化手続との間の協調を行ってもよい。
Ｂ：第２のＵＥの実装−ＬＡＡ動作における未ライセンス及びライセンス済みキャリア上のＳＣｅｌｌのアクティブ化
【００８０】
ＵＥ手続に関する第２の実装では、ＵＥは、未ライセンス周波数帯域上で動作しているＣＣ上の少なくとも１つのＳＣｅｌｌ、及びライセンス済み周波数帯域上で動作しているＣＣ上の少なくとも１つのＳＣｅｌｌと共に構成される（又は構成される必要がある）ものとする。未ライセンスＣＣは、同一の、又は異なる未ライセンス帯域に属してもよく、同様に、ライセンス済みＣＣは、同一の、又は異なるライセンス済み帯域に属してもよい。
【００８１】
本実施形態では、ＵＥは、ＳＣｅｌｌアクティブ化／非アクティブ化コマンドを受信して、未ライセンス周波数帯域に属するＣＣ上で動作している少なくとも１つのＳＣｅｌｌ、及び／又はライセンス済み周波数帯域に属するＣＣ上で動作している少なくとも１つのＳＣｅｌｌをアクティブ化し又は非アクティブ化する。説明の単純化のため、第１のＳＣｅｌｌ及び第２のＳＣｅｌｌは、それぞれ未ライセンス及びライセンス済み周波数帯域に属するＣＣ上で構成され、動作するものとする。但し、実施形態は、未ライセンス帯域上の任意の数のＳＣｅｌｌ及びライセンス済み帯域上の任意の数のＳＣｅｌｌに適用可能である。
【００８２】
このケースにおいても、ＵＥは非アクティブ化手続を適用するためにＤＲＳを使用する必要はないことから、ＳＣｅｌｌのうちのいずれの非アクティブ化も、固定的な予め定義された時間（例えば、コマンド受信後の８ｍｓ）を使用して実行されてよい。一方、アクティブ化手続の場合、ＵＥは、第１のＳＣｅｌｌ及び第２のＳＣｅｌｌをアクティブ化するためにＤＲＳ（例えば、ＰＳＳ／ＳＳＳ／ＣＲＳ）を使用する。
【００８３】
前述したように未ライセンス帯域上にある第１のＳＣｅｌｌ上において、ＬＢＴ手続に起因して、ＤＲＳは、予め定義され又は予め構成されるＤＲＳ機会ごとに一貫して又は周期的にＵＥにおいて利用可能でないことがある。しかし、ライセンス済み帯域上にある第２のＳＣｅｌｌ上ではＬＢＴはなく、したがって、ＤＲＳは、予め定義され又は予め構成されるＤＲＳ送信機会ごとに、いかなる割り込みもなく一貫してＵＥにおいて利用可能である。例えば、第２のＳＣｅｌｌにおいては、５つのサブフレームおきにＰＳＳ／ＳＳＳが、サブフレームごとにＣＲＳが、ＵＥにおいて利用可能である。２つのＳＣｅｌｌ上でＤＲＳが送信されるやり方の違いに起因して、ＵＥは、第１のＳＣｅｌｌ及び第２のＳＣｅｌｌをアクティブ化するために異なるＳＣｅｌｌアクティブ化手続を適用しなければならない。例えば、ＵＥは、第１のＳＣｅｌｌ及び第２のＳＣｅｌｌをアクティブ化するために、それぞれ第１のＳＣｅｌｌアクティブ化手続及び第２のＳＣｅｌｌアクティブ化手続を適用する。
【００８４】
第１のＳＣｅｌｌアクティブ化手続は、未ライセンス帯域上のＳＣｅｌｌについての上記第１の実施形態Ａについて説明されたものと同一である。
【００８５】
第２のＳＣｅｌｌアクティブ化手続は、ライセンス済み帯域上のＳＣｅｌｌについての「ＳＣｅｌｌアクティブ化及び非アクティブ化遅延要件」のセクションで説明した既存のＳＣｅｌｌアクティブ化手続と同一である。
【００８６】
よって、第２の例示的な実施形態によれば、ワイヤレスデバイスは、ＣＡ可能であり、ＰＣｅｌｌと共に構成される。ワイヤレスデバイスは、未ライセンス帯域又はスペクトルに属するＣＣ上で動作している少なくとも第１のＳＣｅｌｌと共にさらに構成され、オプションとして、ライセンス済み帯域又はスペクトルに属するＣＣ上で動作している第２のＳＣｅｌｌと共に構成される。ワイヤレスデバイスにおける方法は、第１の及び第２のＳＣｅｌｌのうちの少なくとも１つをアクティブ化し又は非アクティブ化するためのＳＣｅｌｌアクティブ化又は非アクティブ化コマンドを受信することと、第１のアクティブ化手続を使用して第１のＳＣｅｌｌをアクティブ化することと、を含む。当該方法は、オプションとして、第２のアクティブ化手続を使用して第２のＳＣｅｌｌをアクティブ化することを含む。第１のアクティブ化手続は、少なくともＮ回のＤＲＳを含むＤＬ時間リソースがＴ０にわたって利用可能であることを条件として、可変的な時間ピリオド（Ｔ０）にわたって実行され、第２のアクティブ化手続は、予め定義される固定的な時間ピリオド（Ｔ１）にわたって実行される。ＤＲＳを含むＤＬ時間リソースは、例えば、サブフレーム又はＤＲＳ機会であってもよい。
【００８７】
ＵＥが、未ライセンス帯域上の２つ以上のＳＣｅｌｌ、及び／又はライセンス済み帯域上の２つ以上のＳＣｅｌｌと共に構成される場合、アクティブ化されているＳＣｅｌｌについての合計のＳＣｅｌｌアクティブ化遅延は、他の１つ以上のＳＣｅｌｌがアクティブ化され、非アクティブ化され、構成され、又は構成解除される回数の関数としても延長される。この場合、遅延は、以下の原理のうちのいずれかに基づいて延長され得る：
−  １つの例では、第１のＳＣｅｌｌアクティブ化遅延は、第１のＳＣｅｌｌがアクティブ化されている間に、未ライセンス帯域上のＳＣｅｌｌのそれぞれがアクティブ化され、非アクティブ化され、構成され、又は構成解除される回数（Ｂ）のみに依存し得る。この場合、未ライセンス帯域上の第１のＳＣｅｌｌアクティブ化遅延が、上記第１の実施形態Ａについて説明されるようにパラメータＢの関数として延長されてもよい。例えば、過去にアクティブ化済みの第２のＳＣｅｌｌが、ピリオドＴ０の期間中に１回非アクティブ化される場合、第１のＳＣｅｌｌアクティブ化遅延Ｔ０（即ち、ＳＣｅｌｌ１のＴ０）が、マージン（例えば、Ｒ×Ｂ＝１０ｍｓ、ここではＢ＝１）によって延長される。
−  別の例では、第２のＳＣｅｌｌアクティブ化遅延は、第２のＳＣｅｌｌがアクティブ化されている間に、ライセンス済み帯域上のＳＣｅｌｌのそれぞれがアクティブ化され、非アクティブ化され、構成され、又は構成解除される回数（Ｅ）のみに依存し得る。例えば、この場合、ライセンス済み帯域上の第１のＳＣｅｌｌアクティブ化遅延は、既存の解決策におけるように延長されてもよい。
−  さらなる別の例では、第１のＳＣｅｌｌアクティブ化遅延は、第１のＳＣｅｌｌがアクティブ化されている間に、未ライセンス帯域上のＳＣｅｌｌのそれぞれがアクティブ化され、非アクティブ化され、構成され、又は構成解除される回数（Ｂ）、及びライセンス済み帯域上のＳＣｅｌｌのそれぞれがアクティブ化され、非アクティブ化され、構成され、又は構成解除される回数（Ｅ）の双方に依存してもよい。例えば、任意のＳＣｅｌｌについてのＳＣｅｌｌアクティブ化遅延は、マージン（Ｒ）によって延長されてもよい。例えば、遅延は、Ｒ×（Ｂ＋Ｅ）、又はＲ１×Ｂ＋Ｒ２×Ｅによって延長されてもよい。ここで、Ｒ１及びＲ２は、それぞれ未ライセンス帯域上のＳＣｅｌｌ及びライセンス済み帯域上のＳＣｅｌｌについてのマージンである。
【００８８】
第３の例示的な実施形態によれば、ワイヤレスデバイスは、未ライセンス帯域又はスペクトルに属する少なくとも第１のキャリアを有し、及び、オプションとして、ライセンス済み帯域又はスペクトルに属するＣＣ上で動作する第２のキャリアを有する、スタンドアローンの未ライセンス動作が可能である。ワイヤレスデバイスにおける方法は、ライセンス済み帯域における２つのＳＣｅｌｌのうちの少なくとも１つをアクティブ化し又は非アクティブ化するためのＳＣｅｌｌキャリアアクティブ化又は非アクティブ化コマンドを受信することを含む。当該方法は、オプションとして、未ライセンススペクトルにおいてセルサーチを実行することと、未ライセンス帯域におけるキャリアのうちの少なくとも１つをアクティブ化し又は非アクティブ化するように決定することと、を含む。当該方法は、第１のアクティブ化手続を使用して第１のＳＣｅｌｌ（即ち、未ライセンスキャリア）をアクティブ化することと、オプションとして、第２のアクティブ化手続を使用してライセンス済みキャリアをアクティブ化することと、をさらに含む。第１のアクティブ化手続は、少なくともＮ回のＤＲＳを含むＤＬ時間リソースが、Ｔ０にわたって利用可能であることを条件として、可変的な時間ピリオド（Ｔ０）にわたって実行され、第２のアクティブ化手続は、予め定義される時間ピリオド（Ｔ１）にわたって実行される。ＤＲＳを含むＤＬ時間リソースは、例えば、サブフレーム又はＤＲＳ機会であってもよい。
【００８９】
［３．スペクトルの種類に基づいてＳＣｅｌｌ又は未ライセンスキャリアのアクティブ化／非アクティブ化手続を適応させるネットワークノードにおける方法］
ワイヤレスデバイスにおける方法の実施形態によれば、ネットワークノードにおいて実行される方法の実施形態は、ネットワークノードがサービングＳＣｅｌｌのためのアクティブ化コマンドをワイヤレスデバイスへ送信することを含む。そのコマンドは、ワイヤレスデバイスにより実行される、例えば、未ライセンス周波数帯域に属するＣＣ上で動作しているＳＣｅｌｌのためのアクティブ化手続を開始させる。ワイヤレスデバイスにより実行されるアクティブ化手続は、可変的な時間ピリオドの後のアクティブ化されたＳＣｅｌｌについてのＣＳＩレポートのネットワークノードへの返送に帰着し、それは、ＳＣｅｌｌのアクティブ化が成功したという確認（confirmation）である。上記可変的な時間ピリオドは、ワイヤレスデバイスが最小の量のＤＲＳ信号を受信するために必要とされる時間ピリオドに依存する。よって、上記可変的な時間ピリオドは、現行のＬＢＴの状況に伴って変化してもよく、ＳＣｅｌｌアクティブ化遅延要件が変化し得る。ネットワークノードは、ＳＣｅｌｌがアクティブ化されたことを確認するＣＳＩレポートを受信すると、当該ＳＣｅｌｌ上でのスケジューリングを開始し得る。
【００９０】
さらなる実施形態によれば、ネットワークノードは、ある時間ピリオド内にワイヤレスデバイスがアクティブ化を実行し得るように、アクティブ化コマンドをワイヤレスデバイスへ送信する時間を判定してもよい。アクティブ化コマンドを送信する時間の判定は、例えば、ＬＢＴ統計に基づいてもよい。
【００９１】
複数の実施形態において、ネットワークノードは、まず、ＵＥが、未ライセンス帯域又はスペクトルに属するＣＣ上の１つ以上のＳＣｅｌｌ又は未ライセンスキャリアと共に構成されるかを判定してもよい。ネットワークノードによってアクティブ化されるべき少なくとも１つのＳＣｅｌｌ又は未ライセンスキャリアが、未ライセンスキャリアに属するＣＣ上にある場合、ネットワークノードは、ＳＣｅｌｌ又は未ライセンスキャリアをアクティブ化するために時間ピリオドＴ０にわたってＵＥにおいて利用可能であるディスカバリリファレンス信号（ＤＲＳ）を含むＤＬ時間リソース（例えば、サブフレーム、タイムスロット、シンボルなど）の予期される数（Ｋ）を推定し又は評価する。この判定に基づいて、ネットワークノードは、ネットワークノードがそのＳＣｅｌｌ又は未ライセンスキャリアをアクティブ化するためのＳＣｅｌｌ又は未ライセンスキャリアアクティブ化／非アクティブ化コマンドをＵＥへ送信する時間インスタンスを適応させる。
【００９２】
パラメータＫのこの判定は、例えば、アクティブ化されることになるＳＣｅｌｌ又は未ライセンスキャリアに対してネットワークノードによって適用されるべき、ＬＢＴ手続に基づいてなされる。例えば、ＬＢＴ手続が、より高い頻度で（例えば、サブフレームごとに）送信を破棄し／抑制し／実行しない必要性をネットワークノードにもたらし、それがいくつものＤＲＳ機会のロスにつながることが予期される場合、ネットワークノードは、Ｔ０に対してＫが閾値を下回ると想定し得る。このケースにおいて、ネットワークノードは、ＳＣｅｌｌ／未ライセンスキャリアアクティブ化／非アクティブ化コマンドのＵＥへの送信を遅延させてもよい。一方、ＫがＴ０に対して閾値を上回る場合には、ネットワークノードは、ＳＣｅｌｌ／未ライセンスキャリアアクティブ化／非アクティブ化コマンドをＵＥへ、即時に又はコマンド送信用のＤＬリソース（例えば、チャネル）が存在する都度送信してもよい。
【００９３】
本実施形態の別の観点では、ネットワークノードは、ＳＣｅｌｌの無線条件又はチャネル条件が有利（favorable）である場合、例えばネットワークノードにより推定される干渉が閾値を下回り及び／又は信号品質（ＳＩＮＲなど）が閾値を上回る場合に、ＳＣｅｌｌ又は未ライセンスキャリアをアクティブ化する。これは、無線条件又はチャネル条件が有利である場合には、ＬＢＴが失敗する可能性が低く、結果として、ネットワークノードがＤＲＳを含めてＳＣｅｌｌ又は未ライセンスキャリア上で信号を送信することができるであろうことを理由とする。この手法で、ＳＣｅｌｌ又は未ライセンスキャリアのアクティブ化は、より短い、又は最小限の起こり得る遅延（Ｔ０）内にＵＥによって成功裏に行われることとなる。
【００９４】
本実施形態のさらなる別の観点では、ネットワークノードは、ＳＣｅｌｌ又は未ライセンスキャリアがアクティブ化されるべきであると判定すると、少なくとも時間ピリオドＴ０の期間中のＤＲＳ送信のロスを回避し又は最小化するようにＬＢＴ手続を適応させる。例えば、この場合、ネットワークノードは、可能な限りＤＲＳを含む時間リソースのロスをもたらさない時間リソース（例えば、ＤＬサブフレーム）のみにおいてＬＢＴ手続を適用し、その時間リソースが、転じてＳＣｅｌｌのアクティブ化のためにＵＥによって使用される。ネットワークノードにおいて使用されるＬＢＴ手続に依存して、ＬＢＴ失敗のケースでは、ＬＢＴが適用されるものと同じサブフレーム及び又は後続のサブフレームのいずれかが送信されなくてもよい。このアプローチは、ＵＥが、Ｔ０の期間中に最も多くのサブフレームをＤＲＳと共に受信することができることを保証し、これが、より短いＴ０、即ち、より高速のＳＣｅｌｌ又は未ライセンスキャリアアクティブ化遅延につながる。
【００９５】
別の観点において、ＰＣｅｌｌ又はネットワークノードは、未ライセンスキャリアについてのＬＢＴ出力に関する情報を収集する。即ち、ＰＣｅｌｌ又はネットワークノードは、ＬＡＡ  ＳＣｅｌｌ、又は未ライセンスキャリアのチャネル占有率を測定する。代替的に、ＵＥは、チャネル占有率、例えば過去２００ｍｓ内といったある時間ピリオドにわたって取得されるＬＡＡノードにおけるＬＢＴ失敗及び／又は成功の比率のＬＢＴ統計を、ＰＣｅｌｌ又はネットワークノードにレポートする。ＰＣｅｌｌ又はネットワークノードは、好適なＬＡＡセルの何らかの順序でのリストを維持する。ＰＣｅｌｌは、自身のバッファに基づいてＵＥが大規模なＤＬ又はＵＬデータ送信を必要とすること（即ち、より低いケイパビリティを伴うＵＥ）を検出すると、より高いＬＢＴ成功率を有するＳＣｅｌｌ、即ち、図５に示されるＬＢＴ成功率８０％又は５０％を有するセル５０１又は５０２を、アクティブ化するようにＵＥに命令する。より低いＬＢＴ成功率１０％を有するセル５０３において、より高いケイパビリティのＵＥが、その代わりにアクティブ化され得る。ＬＢＴ成功率は、履歴に基づいて導出され、ＰＣｅｌｌにより知得される。ＬＢＴ成功率の代替は、チャネル占有率である。
【００９６】
ＳＣｅｌｌをアクティブ化するためのさらなる別の基準は、ＳＣｅｌｌ内のＵＥの総数の観点でのものといった負荷測定値、及び／又はネットワークノードによって推定されるＳＩＮＲなどの信号品質若しくはＵＥから受信される信号品質測定結果（例えば、ＲＳＲＱ）に基づく。例えば、セル負荷が低い（例えば、ＳＩＮＲが閾値を上回る、ＵＥの数が閾値を下回る）場合、ネットワークノードは、ＳＣｅｌｌをアクティブ化するためのＳＣｅｌｌアクティブ化／非アクティブ化コマンドをＵＥへ送信する。
【００９７】
本発明の別の観点では、ＵＥは、オプションとして、サービングセルにおいて同期（例えば、受信タイミング）を維持するケイパビリティをネットワークノードへレポートしてもよい。これは、例えば、無線測定のための所要の周波数又はＵＥにおいて維持することが必要とされるサンプルの観点で表現され得る。受信されるこのケイパビリティ情報に基づいて、ネットワークノード（例えば、ｅＮｏｄｅＢ）は、このＵＥにとってアクティブ化されるべき最も適したＳＣｅｌｌを選択し得る。例えば、ネットワークノードは、より高い利用率を有する（即ち、ＳＩＮＲが閾値を下回るなど、負荷が高い）ＳＣｅｌｌについてのアクティブ化コマンドを、同期の維持に関して高いケイパビリティを伴うＵＥへ送信してもよい。高いケイパビリティを有するＵＥは、低頻度な又はより少ない測定に基づいてＳＣｅｌｌとの同期を保つことができる。一方、ネットワークノードは、より低い利用率を伴う（即ち、ＳＩＮＲが閾値以下であるなど、負荷が低い）ＳＣｅｌｌのためのアクティブ化コマンドを、同期の維持に関して低いケイパビリティを伴うＵＥへ送信してもよい。
【００９８】
１つの例示的な実施形態によれば、ネットワークノードは、未ライセンス帯域又はスペクトルに属するＣＣ上で動作している少なくとも第１のＳＣｅｌｌと共に構成されるワイヤレスデバイスにサービスしている。代替的には、ネットワークノードは、未ライセンス帯域又はスペクトルに属するＣＣ上で動作している少なくとも第１のキャリアと共に構成されるワイヤレスデバイスにサービスしている。方法は、時間ピリオドＴ０にわたってＵＥにおいて利用可能となる、ＤＲＳを含むＤＬ時間リソースの予期される数（Ｋ）を推定し又は判定することを含む。その推定又は判定は、オプションとして、例えばＬＢＴ統計に基づいてもよい。その推定又は判定は、さらに又は代替的に、アクティブ化されるべきキャリア上で推定される負荷又は干渉、例えば、ネットワークノードによって直近に観測されたチャネル占有レベル（チャネルがビジーであった／ビジーでなかった頻度）などの統計に基づいてもよい。ネットワークノードにおける方法は、第１のＳＣｅｌｌをアクティブ化し又は非アクティブ化するためのＳＣｅｌｌアクティブ化又は非アクティブ化コマンドをＵＥへ送信する時間インスタンスを判定することと、判定された時間インスタンスにおいて第１のＳＣｅｌｌをアクティブ化するためのＳＣｅｌｌアクティブ化／非アクティブ化コマンドをワイヤレスデバイスへ送信し又は伝送することと、をさらに含む。
【００９９】
ネットワークノードにおける上記方法の実施形態の利点は、ワイヤレスデバイスが未ライセンススペクトルにおけるＳＣｅｌｌ又はキャリアのアクティブ化又は非アクティブ化を実行する時に、ワイヤレスデバイスの性能（例えば、ＳＣｅｌｌ又はキャリアアクティブ化／非アクティブ化を実行する時間）をネットワークノードが認識し得ることである。
【０１００】
［図６〜図１０を参照して説明される方法及びノードの実施形態］
図９は、ワイヤレスデバイスにおいて実行される方法の実施形態を示す。この方法の例としての実施形態が、上記セクション２において説明されている。ワイヤレスデバイス８５０は、無線通信システムのネットワークノード８００によってサービスされる。複数の実施形態において、ワイヤレスデバイスは、１つよりも多くのネットワークノードによってサービスされてもよい。これは、例えば、背景技術のセクションにおいて説明されたような２つのネットワークノード又はｅＮｏｄｅＢによってＵＥがサービスされる、デュアルコネクティビティモードにおける動作についての場合である。よって、ここで説明されるネットワークノードの特徴が１つよりも多くのネットワークノードにわたって分散されてもよい。ワイヤレスデバイス８５０は、キャリアアグリゲーション可能であってネットワークノード８００によりプライマリセル（ＰＣｅｌｌ）及び第１のセカンダリセル（ＳＣｅｌｌ）と共に構成される。当該方法は、
−９１０：第１のＳＣｅｌｌをアクティブ化するためのアクティブ化コマンドを受信することと、
−９２０：アクティブ化コマンドに応じて、第１のＳＣｅｌｌをアクティブ化するための第１のアクティブ化手続を、可変的な時間ピリオドにわたって実行することと、を含む。上記可変的な時間ピリオドは、第１のアクティブ化手続の期間中にワイヤレスデバイス８５０において第１のＳＣｅｌｌのディスカバリリファレンス信号機会が利用可能でない回数と共に増加する。複数の実施形態において、第１のＳＣｅｌｌのディスカバリリファレンス信号機会は、ディスカバリリファレンス信号機会において受信される信号の品質及び強度のうちの少なくとも１つがそれぞれの閾値レベルを下回るとワイヤレスデバイスが判定する場合に、ワイヤレスデバイスにおいて利用可能でない。
【０１０１】
本発明の実施形態において、上記方法は、オプションとして、
−９３０：第１のアクティブ化手続の期間中にアクティブ化される場合に、第１のＳＣｅｌｌについての有効なチャネル状態情報（ＣＳＩ）レポートを送信すること、をも含む。有効なＣＳＩレポートは、非ゼロのＣＱＩインデックスと共に予め定義されるチャネル品質インジケータ（ＣＱＩ）値を含むＣＳＩレポートであってもよい。ゼロと等しいＣＱＩインデックスは、ＣＱＩ値がレンジ外であることを意味する。
【０１０２】
ある実施形態において、第１のＳＣｅｌｌは、競合ベースの送信のためのキャリア上で動作している。無線通信システムがＬＴＥ（Long  Term  Evolution）システムである場合において、ワイヤレスデバイスは、第１のＳＣｅｌｌ上のライセンス支援型アクセス（ＬＡＡ）動作のために構成されてもよい。このような例としてのシナリオにおいて、アクティブ化コマンドは、第１のＳＣｅｌｌがアクティブ化されるべきであることを示す、ＳＣｅｌｌアクティブ化／非アクティブ化メディアアクセス制御（ＭＡＣ）制御エレメントであってもよい。
【０１０３】
複数の実施形態において、ＳＣｅｌｌについての異なるアクティブ化手続が、ＳＣｅｌｌが競合ベースの送信が可能なＣＣ上で動作するか又は競合フリーの送信が可能なＣＣ上で動作するか、に基づいて選択されてもよい。ネットワークノード８００によってワイヤレスデバイス８５０が第２のＳＣｅｌｌと共に構成される場合に、上記方法は、さらに、
−９４０：第２のＳＣｅｌｌをアクティブ化するためのアクティブ化コマンドを受信すること、を含んでもよく、第２のＳＣｅｌｌをアクティブ化するためのアクティブ化コマンドに応じて、ワイヤレスデバイスは、当該ＳＣｅｌｌが競合ベースの送信の可能なＣＣ上で動作するか又は競合フリーの送信の可能なＣＣ上で動作するかを判定し、以下の手法における結果に依存して、どのアクティブ化手続を使用すべきかを決定し得る。
９５０：第２のＳＣｅｌｌが競合フリーの送信のためのキャリア上で動作している場合に、第２のＳＣｅｌｌをアクティブ化するための第２のアクティブ化手続を、固定的な時間ピリオドにわたって実行。固定的な時間ピリオドは、予め定義されてもよい。
９６０：第２のＳＣｅｌｌが、競合ベースの送信のためのキャリア上で動作している場合に、第１のアクティブ化手続の期間中にワイヤレスデバイス８５０において第２のＳＣｅｌｌのディスカバリリファレンス信号機会が利用可能でない回数と共に増加する可変的な時間ピリオドにわたって、第２のＳＣｅｌｌをアクティブ化するための第１のアクティブ化手続を実行。これは、したがって、上記第１のＳＣｅｌｌに使用されたものと同一のアクティブ化手続である。
【０１０４】
上記方法は、
−９７０：第１のＳＣｅｌｌのアクティブ化と同様にして、第２のＳＣｅｌｌについての有効なＣＳＩレポートを、第２の又は第１のアクティブ化手続期間中にアクティブ化された場合に送信すること、をも含む。
【０１０５】
図６ａ〜図６ｂは、ワイヤレスデバイスにおける方法の例を示すフローチャートである。
【０１０６】
図６ａの例において、ワイヤレスデバイスは、ＣＡ可能であってＰＣｅｌｌと共に構成される。ワイヤレスデバイスは、未ライセンス周波数帯域又はスペクトルに属するＣＣ上で動作している少なくとも第１のＳＣｅｌｌと共にさらに構成される。ワイヤレスデバイスは、ＬＡＡ対応であってもよく、スタンドアローンで未ライセンス動作可能であってもよい。ワイヤレスデバイスにおける方法は、第１のＳＣｅｌｌ又は第１のキャリアをアクティブ化し又は非アクティブ化するためのＳＣｅｌｌ又はキャリアアクティブ化又は非アクティブ化コマンドを受信すること６１０、を含む。上記方法は、少なくともＮ回のＤＲＳを含むＤＬ時間リソースがＴ０にわたって利用可能であることを条件として、可変的な時間ピリオド（Ｔ０）にわたって第１のＳＣｅｌｌ又は第１のキャリアをアクティブ化すること６２０、をさらに含む。
【０１０７】
図６ｂの例において、ワイヤレスデバイスは、ＣＡ可能であってＰＣｅｌｌと共に構成される。ワイヤレスデバイスは、未ライセンス帯域又はスペクトルに属するＣＣ上で動作している少なくとも第１のＳＣｅｌｌ、及びライセンス済み帯域又はスペクトルに属するＣＣ上で動作している第２のＳＣｅｌｌと共にさらに構成される。ワイヤレスデバイスにおける方法は、第１の及び第２のＳＣｅｌｌのうちの少なくとも１つをアクティブ化し又は非アクティブ化するためのＳＣｅｌｌアクティブ化又は非アクティブ化コマンドを受信すること６３０と、第１のアクティブ化手続を使用して第１のＳＣｅｌｌをアクティブ化すること６４０と、第２のアクティブ化手続を使用して第２のＳＣｅｌｌをアクティブ化すること６５０と、を含む。第１のアクティブ化手続は、少なくともＮ回のＤＲＳを含むＤＬ時間リソースがＴ０にわたって利用可能であることを条件として、可変的な時間ピリオド（Ｔ０）にわたって実行され、第２のアクティブ化手続は、予め定義される時間ピリオド（Ｔ１）にわたって実行される。
【０１０８】
図１０ａ〜図１０ｂは、無線通信システムのネットワークノードにおいて実行される方法の実施形態を示す。この方法の例としての実施形態が、上記セクション３において説明されている。ネットワークノード８００は、キャリアアグリゲーション可能なワイヤレスデバイス８５０にサービスし、ワイヤレスデバイス８５０は、プライマリセル（ＰＣｅｌｌ）及びセカンダリセル（ＳＣｅｌｌ）と共に構成される。図１０ａに示される方法は、
−１０１０：ＳＣｅｌｌをアクティブ化するためのアクティブ化コマンドをワイヤレスデバイス８５０へ送信することと、
−１０２０：アクティブ化コマンドに応じて、ワイヤレスデバイス８５０から、ＳＣｅｌｌについての有効なチャネル状態情報（ＣＳＩ）レポートを受信することと、を含む。ＣＳＩレポートは、アクティブ化コマンドの送信から可変的な時間ピリオド内に受信され、その可変的な時間ピリオドは、ワイヤレスデバイス８５０においてＳＣｅｌｌのディスカバリリファレンス信号機会が利用可能でない回数と共に増加する。有効なＣＳＩレポートは、非ゼロのＣＱＩインデックスと共に予め定義されるチャネル品質インジケータ（ＣＱＩ）値を含むＣＳＩレポートであってもよい。
【０１０９】
本発明の実施形態において、上記方法は、オプションとして、
−１０３０：受信された有効なＣＳＩレポートに応じて、ＳＣｅｌｌ内のワイヤレスデバイス８５０のスケジューリングを開始すること、をさらに含む。受信されるＣＳＩレポートは、ＳＣｅｌｌがアクティブ化されたことをネットワークノードに示し、ワイヤレスデバイスをスケジューリングするために使用されてもよい。
【０１１０】
ある実施形態において、ＳＣｅｌｌは、競合ベースの送信のためのキャリア上で動作している。無線通信システムがＬＴＥ（Long  Term  Evolution）システムである場合において、ワイヤレスデバイスは、ＳＣｅｌｌ上のライセンス支援型アクセス（ＬＡＡ）動作のために構成されてもよい。このような例としてのシナリオにおいて、アクティブ化コマンドは、ＳＣｅｌｌがアクティブ化されるべきであることを示す、ＳＣｅｌｌアクティブ化／非アクティブ化メディアアクセス制御（ＭＡＣ）制御エレメントであってもよい。
【０１１１】
別の実施形態が、図１０ｂに示されている。本実施形態において、上記方法は、
−１０００：ＳＣｅｌｌが競合ベースの送信のためのキャリア上で動作しているかを判定すること、をさらに含む。
【０１１２】
ＳＣｅｌｌが競合ベースの送信のためのキャリア上で動作していると判定される、１０００／ＹＥＳの場合に、アクティブ化コマンドを送信すること１０１０は、
−１０１１：ＳＣｅｌｌをアクティブ化するための時間ピリオドにわたってワイヤレスデバイス８５０において利用可能なＳＣｅｌｌのディスカバリリファレンス信号機会の予期される数Ｋを推定することと、
−１０１２：予期される数Ｋに基づいてアクティブ化コマンドの送信を適応させることと、をさらに含む。アクティブ化コマンドの送信を適応させることは、予期される数Ｋが閾値を下回る場合に、アクティブ化コマンドの送信を遅延させることと、予期される数Ｋが閾値と等しいか又は上回る場合に、送信に利用可能なダウンリンクリソースがあるとすぐに送信を実行することと、を含んでもよい。本実施形態の利点は、例えばアクティブ化されるべきＳＣｅｌｌについてＬＢＴ手続が成功する可能性がより高い時など、あり得る最良の条件下でアクティブ化コマンドがワイヤレスデバイスへ達するように、ネットワークノードが例えばアクティブ化コマンドをワイヤレスデバイスへ送信するタイミングを適応させ得ることである。上記セクション３は、いくつかの代替策のより詳細な説明を与えている。
−１０２０：アクティブ化コマンドに応じて、ワイヤレスデバイス８５０から、ＳＣｅｌｌについての有効なチャネル状態情報（ＣＳＩ）レポートを受信。ＣＳＩレポートは、アクティブ化コマンドの送信から可変的な時間ピリオド内に受信され、その可変的な時間ピリオドは、ワイヤレスデバイス８５０においてＳＣｅｌｌのディスカバリリファレンス信号機会が利用可能でない回数と共に増加する。
【０１１３】
上述したネットワークノードにおいて実行される方法の実施形態のいずれにおいても、以下の基準のうちの少なくとも１つがＳＣｅｌｌについて満たされる場合に、アクティブ化コマンドが送信されてよい。
−  負荷指標が、負荷閾値を下回っている。
−  ＳＣｅｌｌ内のワイヤレスデバイス（８５０）の総数が、デバイス閾値を下回っている。
−  推定される干渉レベルが、干渉閾値を下回っている。
【０１１４】
図７は、ネットワークノードにおける方法の１つの例を示すフローチャートである。図７の例において、ネットワークノードは、未ライセンス帯域又はスペクトルに属するＣＣ上で動作している少なくとも第１のＳＣｅｌｌと共に構成されるワイヤレスデバイスにサービスしている。代替的に、ネットワークノードは、未ライセンス帯域又はスペクトルに属するＣＣ上で動作している少なくとも第１のキャリアと共に構成されるワイヤレスデバイスにサービスしている。上記方法は、時間ピリオドＴ０にわたってＵＥにおいて利用可能となる、ＤＲＳを含むＤＬ時間リソースの予期される数（Ｋ）を推定又は判定すること７１０を含む。その推定又は判定は、オプションとして、例えばＬＢＴ統計に基づいてもよい。その推定又は判定は、さらに又は代替的に、アクティブ化されるべきキャリア上で推定される負荷又は干渉、例えばネットワークノードによって直近に観測されたチャネル占有レベル（チャネルがビジーであった／ビジーでなかった頻度）などの統計に基づいてもよい。ネットワークノードにおける方法は、第１のＳＣｅｌｌをアクティブ化し又は非アクティブ化するためのＳＣｅｌｌアクティブ化又は非アクティブ化コマンドをＵＥへ送信する時間インスタンスを判定すること７２０と、判定された時間インスタンスにおいて第１のＳＣｅｌｌをアクティブ化するためのＳＣｅｌｌアクティブ化／非アクティブ化コマンドをワイヤレスデバイスへ送信し又は伝送すること７３０と、をさらに含む。
【０１１５】
無線通信システムのネットワークノード８００及びワイヤレスデバイス８５０の実施形態が、図８のブロック図に概略的に示されている。
【０１１６】
ワイヤレスデバイス８５０は、無線通信システムのネットワークノード８００によってサービスされる、ように構成される。ワイヤレスデバイス８５０は、キャリアアグリゲーション可能であってプライマリセル（ＰＣｅｌｌ）及び第１のセカンダリセル（ＳＣｅｌｌ）と共に構成される。ワイヤレスデバイス８５０は、第１のＳＣｅｌｌをアクティブ化するためのアクティブ化コマンドを受信し、アクティブ化コマンドに応じて、第１のＳＣｅｌｌをアクティブ化するための第１のアクティブ化手続を、第１のアクティブ化手続の期間中にワイヤレスデバイス８５０において第１のＳＣｅｌｌのディスカバリリファレンス信号機会が利用可能でない回数と共に増加する可変的な時間ピリオドにわたって実行する、ようにさらに構成される。
【０１１７】
複数の実施形態において、ワイヤレスデバイス８５０は、第１のＳＣｅｌｌについての有効なチャネル状態情報（ＣＳＩ）レポートを、第１のアクティブ化手続の期間中にアクティブ化される場合に送信するようにさらに構成される。有効なＣＳＩレポートは、非ゼロのＣＱＩインデックスと共に予め定義されるチャネル品質インジケータ（ＣＱＩ）値を含むＣＳＩレポートであってもよい。
【０１１８】
複数の実施形態において、ワイヤレスデバイス８５０は、ディスカバリリファレンス信号機会において受信される信号の品質又は強度のうちの少なくとも１つを判定する、ように構成されてもよい。第１のＳＣｅｌｌのディスカバリリファレンス信号機会は、ディスカバリリファレンス信号機会において受信される信号の品質及び強度のうちの少なくとも１つがそれぞれの閾値レベルを下回るとワイヤレスデバイス８５０が判定する場合に、ワイヤレスデバイス８５０において利用可能でない。
【０１１９】
ワイヤレスデバイス８５０は、競合ベースの送信のためのキャリア上で動作している第１のＳＣｅｌｌと共に構成されてもよい。ある実施形態において、無線通信システムは、ＬＴＥ（Long  Term  Evolution）システムであってもよく、ワイヤレスデバイス８５０は、第１のＳＣｅｌｌ上のライセンス支援型アクセス（ＬＡＡ）動作のために構成されてもよい。このような実施形態において、アクティブ化コマンドは、第１のＳＣｅｌｌがアクティブ化されるべきであることを示す、ＳＣｅｌｌアクティブ化／非アクティブ化メディアアクセス制御（ＭＡＣ）制御エレメントであってもよい。
【０１２０】
ある実施形態において、ワイヤレスデバイス８５０は、さらに、第２のＳＣｅｌｌと共に構成されてもよい。ワイヤレスデバイスは、第２のＳＣｅｌｌをアクティブ化するためのアクティブ化コマンドを受信し、第２のＳＣｅｌｌをアクティブ化するためのアクティブ化コマンドに応じて、
−  第２のＳＣｅｌｌが競合フリーの送信のためのキャリア上で動作している場合に、第２のＳＣｅｌｌをアクティブ化するための第２のアクティブ化手続を、固定的な時間ピリオドにわたって実行する、ようにも構成される。固定的な時間ピリオドは、予め定義されてもよい。
【０１２１】
また、ワイヤレスデバイスは、第２のＳＣｅｌｌについての有効なチャネル状態情報（ＣＳＩ）レポートを、第２のアクティブ化手続の期間中にアクティブ化される場合に送信するように構成されてもよい。
【０１２２】
その代わりに、第２のＳＣｅｌｌが競合ベースの送信のためのキャリア上で動作している場合、ワイヤレスデバイスは、第２のＳＣｅｌｌをアクティブ化するためのアクティブ化コマンドに応答して、上述したように、第２のＳＣｅｌｌをアクティブ化するための第１のアクティブ化手続を、第１のアクティブ化手続の期間中にワイヤレスデバイス（８５０）において第２のＳＣｅｌｌのディスカバリリファレンス信号機会が利用可能でない回数と共に増加する可変的な時間ピリオドにわたって実行する。
【０１２３】
図８におけるワイヤレスデバイス８５０は、複数の実施形態において、ネットワーク及びネットワークノードと通信するように適合される受信機回路８５３及び送信機回路８５４を含む。受信機回路及び送信機回路は、１つ以上のアンテナポートを介して、同一の又は異なる送信／受信アンテナへ接続されてよい。また、ワイヤレスデバイス８５０は、制御回路、即ち、メモリ８５２を含む処理回路８５１を含んでもよい。制御回路は、送信機回路及び受信機回路へ接続され、送信機回路及び受信機回路は、受信機の機能性及び送信機の機能性を提供する。ワイヤレスデバイス８５０は、ここで開示されるワイヤレスデバイスによって実行される方法のうちのいずれかを遂行するように適合され得る。メモリ８５２は、処理回路８５１によって実行可能な命令を含んでもよく、それによって、上記ワイヤレスデバイス８５０が、ここで開示される方法を実行するように動作可能である。
【０１２４】
したがって、ワイヤレスデバイス８５０は、処理回路８５１及びメモリ８５２を含んでもよく、メモリ８５２は、処理回路８５１によって実行可能な命令を含み、それによって、ワイヤレスデバイス８５０は、第１のＳＣｅｌｌをアクティブ化するためのアクティブ化コマンドを、受信機回路を介して受信する、ように動作可能であり得る。ワイヤレスデバイスは、アクティブ化コマンドに応じて、第１のＳＣｅｌｌをアクティブ化するための第１のアクティブ化手続を、第１のアクティブ化手続の期間中にワイヤレスデバイス８５０において第１のＳＣｅｌｌのディスカバリリファレンス信号機会が利用可能でない回数と共に増加する可変的な時間ピリオドにわたって実行する、ようにさらに動作可能であり得る。
【０１２５】
さらに、ワイヤレスデバイス８５０は、単一のユニットであっても又は複数のユニットであってもよい中央処理装置（ＣＰＵ）と、例えば、ＥＥＰＲＯＭ（Electrically  Erasable  Programmable  Read-Only  Memory）、フラッシュメモリ、又はディスクドライブなどの不揮発性メモリの形式の少なくとも１つのコンピュータプログラムプロダクト（ＣＰＰ）と、を含んでもよい。ＣＰＰは、コンピュータプログラムを含み、コンピュータプログラムは、ワイヤレスデバイス８５０上での実行時に図６ａ〜ｂ又は図９に関連して前述した手続のステップをＣＰＵに実行させるコード手段を含む。言い換えると、上記コード手段がＣＰＵ上で実行される場合、それらは処理回路８５１に相当する。
【０１２６】
ワイヤレスデバイス８５０を説明する代替的な手法において、ワイヤレスデバイス８５０は、第１のＳＣｅｌｌをアクティブ化するためのアクティブ化コマンドを受信する、ように適合される受信モジュール、を含み得る。ワイヤレスデバイス８５０は、アクティブ化コマンドに応じて、第１のＳＣｅｌｌをアクティブ化するための第１のアクティブ化手続を、第１のアクティブ化手続の期間中にワイヤレスデバイス（８５０）において第１のＳＣｅｌｌのディスカバリリファレンス信号機会が利用可能でない回数と共に増加する可変的な時間ピリオドにわたって実行する、ように適合される実行モジュール、をも含み得る。
【０１２７】
また、図８は、無線通信システムのためのネットワークノード８００を示している。
【０１２８】
ネットワークノード８００は、キャリアアグリゲーション可能なワイヤレスデバイス８５０にサービスする、ように構成される。ワイヤレスデバイス８５０は、プライマリセル（ＰＣｅｌｌ）及びセカンダリセル（ＳＣｅｌｌ）と共に構成される。ネットワークノード８００は、ＳＣｅｌｌをアクティブ化するためのアクティブ化コマンドをワイヤレスデバイス８５０へ送信する、ようにさらに構成される。ネットワークノード８００は、アクティブ化コマンドに応じて、ワイヤレスデバイス８５０から、ＳＣｅｌｌについての有効なチャネル状態情報（ＣＳＩ）レポートを受信する、ようにも構成され、ＣＳＩレポートは、アクティブ化コマンドの送信から可変的な時間ピリオド内に受信され、その可変的な時間ピリオドは、ワイヤレスデバイス８５０においてＳＣｅｌｌのディスカバリリファレンス信号機会が利用可能でない回数と共に増加する。有効なＣＳＩレポートは、非ゼロのＣＱＩインデックスと共に予め定義されるチャネル品質インジケータ（ＣＱＩ）値を含むＣＳＩレポートであってもよい。
【０１２９】
ネットワークノード８００は、受信された有効なＣＳＩレポートに応じて、ＳＣｅｌｌ内のワイヤレスデバイス（８５０）のスケジューリングを開始する、ようにさらに構成されてもよい。
【０１３０】
ある実施形態において、ネットワークノード８００は、競合ベースの送信のためのキャリア上で動作しているＳＣｅｌｌと共にワイヤレスデバイス８５０を構成する、ように適合されてもよい。ネットワークノード８００は、ＬＴＥシステムのために、及びＳＣｅｌｌ上でのライセンス支援型アクセス（ＬＡＡ）動作のために構成されるワイヤレスデバイス８５０にサービスするために構成されてもよい。本実施形態におけるアクティブ化コマンドは、第１のＳＣｅｌｌがアクティブ化されるべきであることを示す、ＳＣｅｌｌアクティブ化／非アクティブ化メディアアクセス制御（ＭＡＣ）制御エレメントであってもよい。
【０１３１】
ネットワークノード８００は、ＳＣｅｌｌが競合ベースの送信のためのキャリア上で動作しているかを判定することと、ＳＣｅｌｌをアクティブ化するための時間ピリオドにわたってワイヤレスデバイス（８５０）において利用可能なＳＣｅｌｌのディスカバリリファレンス信号機会の予期される数Ｋを推定し、予期される数Ｋに基づいてアクティブ化コマンドの送信を適応させる、ように構成されることにより、ＳＣｅｌｌが競合ベースの送信のためのキャリア上で動作していると判定される場合にアクティブ化コマンドを送信することと、を行うようにさらに構成されてもよい。
【０１３２】
ある実施形態において、ネットワークノード８００は、予期される数Ｋが閾値を下回る場合に、アクティブ化コマンドの送信を遅延させ、又は予期される数Ｋが閾値と等しいか若しくは上回る場合に、送信に利用可能なダウンリンクリソースがあるとすぐに送信を実行する、ように構成されることにより、アクティブ化コマンドの送信を適応させる、ようにさらに構成されてもよい。
【０１３３】
実施形態において、ネットワークノード８００は、負荷指標が負荷閾値を下回っている、ＳＣｅｌｌ内のワイヤレスデバイス（８５０）の総数がデバイス閾値を下回っている、推定される干渉レベルが干渉閾値を下回っている、という基準のうちの少なくとも１つがＳＣｅｌｌについて満たされる場合に、アクティブ化コマンドを送信する、ように構成されてもよい。
【０１３４】
複数の実施形態において、ネットワークノード８００は、例えば、ワイヤレスデバイスと通信するために構成され得る、通信インタフェース回路８０３を含んでもよい。ネットワークノードが、ｅＮｏｄｅＢである場合、通信インタフェース回路８０３は、アンテナポートを介して同一の又は異なる送信／受信アンテナへ接続され得る送受信機を含んでもよい。また、ネットワークノードは、制御回路、即ち、メモリ８０２へ接続される処理回路８０１を含んでもよい。制御回路は、通信インタフェース回路８０３へ接続され、通信インタフェース回路８０３は、例えば、受信機及び送信機の機能性、並びに／又は送受信機の機能性を提供してもよい。ネットワークノード８００は、ここで開示されるネットワークノードによって実行される方法のうちのいずれかを遂行するように適合されてもよい。メモリ８０２は、処理回路８０１によって実行可能な命令を含んでもよく、それによって、上記ネットワークノード８００が、ここで開示される方法を実行するように動作可能である。
【０１３５】
したがって、ネットワークノード８００は、処理回路８０１及びメモリ８０２を含んでもよく、メモリ８０２は、処理回路８０１によって実行可能な命令を含み、それによって、ネットワークノード８００は、ＳＣｅｌｌをアクティブ化するためのアクティブ化コマンドを、通信インタフェース回路８０３を介してワイヤレスデバイス８５０へ送信する、ように動作可能であり得る。また、ネットワークノード８００は、アクティブ化コマンドに応じて、ワイヤレスデバイス８５０から、ＳＣｅｌｌについての有効なチャネル状態情報（ＣＳＩ）レポートを受信する、ようにさらに動作可能であってもよく、ＣＳＩレポートは、アクティブ化コマンドの送信から可変的な時間ピリオド内に受信され、その可変的な時間ピリオドは、ワイヤレスデバイスにおいてＳＣｅｌｌのディスカバリリファレンス信号機会が利用可能でない回数と共に増加する。
【０１３６】
図８における実施形態を説明する代替的な手法において、ネットワークノード８００は、単一のユニットであっても又は複数のユニットであってもよい中央処理装置（ＣＰＵ）を含む。さらに、ネットワークノード８００は、例えば、ＥＥＰＲＯＭ（Electrically  Erasable  Programmable  Read-Only  Memory）、フラッシュメモリ、又はディスクドライブなどの不揮発性メモリの形式の、少なくとも１つのコンピュータプログラムプロダクト（ＣＰＰ）を含む。ＣＰＰは、コンピュータプログラムを含み、コンピュータプログラムは、ネットワークノード８００上での実行時に図１０ａ〜ｂ又は図７に関連して前述した手続のステップをＣＰＵに実行させるコード手段を含む。言い換えると、上記コード手段がＣＰＵ上で実行される場合、それらは図８の処理回路８０１に相当する。
【０１３７】
ネットワークノード８００を説明する代替的な手法において、ネットワークノード８００は、第１のＳＣｅｌｌをアクティブ化するためのアクティブ化コマンドをワイヤレスデバイス８５０へ送信する、ように適合される送信モジュール、を含み得る。ネットワークノード８００は、アクティブ化コマンドに応じて、ワイヤレスデバイス８５０から、ＳＣｅｌｌについての有効なチャネル状態情報（ＣＳＩ）レポートを受信する、ように適合される受信モジュールをも含み得る。そのＣＳＩレポートは、アクティブ化コマンドの送信から可変的な時間ピリオド内に受信され、その可変的な時間ピリオドは、ワイヤレスデバイスにおいてＳＣｅｌｌのディスカバリリファレンス信号機会が利用可能でない回数と共に増加する。
【０１３８】
上述したモジュール群は、ハードウェア、ソフトウェア、ファームウェア、又はそれらのいかなる組み合わせで実装されてもよい機能ユニットである。ある実施形態において、モジュールは、プロセッサ上で動作するコンピュータプログラムとして実装される。
【０１３９】
上述され説明された実施形態は、例としてのみ与えられ、限定であるべきではない。添付の特許請求の範囲のスコープ内で、他の解決策、用途、目的及び機能が可能であり得る。
【図１】
0006542465.tif 000002
【図２】
0006542465.tif 000003
【図３】
0006542465.tif 000004
【図４】
0006542465.tif 000005
【図５】
0006542465.tif 000006
【図６ａ】
0006542465.tif 000007
【図６ｂ】
0006542465.tif 000008
【図７】
0006542465.tif 000009
【図８】
0006542465.tif 000010
【図９】
0006542465.tif 000011
【図１０ａ】
0006542465.tif 000012
【図１０ｂ】
0006542465.tif 000013